(57)【特許請求の範囲】
【請求項１】
複数の送信ポイントからの複数の参照信号、前記複数の送信ポイントを示す第１の情報、および、前記複数の送信ポイントのうち一部であって少なくとも一つの送信ポイントを示す第２の情報、を受信する受信手段と、
前記第１の情報に基づいて、前記複数の送信ポイントからの前記複数の参照信号のそれぞれに対するチャネル情報を含む第１のチャネル情報を生成し、前記第２の情報に基づいて、前記一部の送信ポイントからの前記参照信号に対するチャネル情報を含む第２のチャネル情報を生成する生成手段と、
生成された前記第１のチャネル情報及び前記第２のチャネル情報を送信する送信手段と、
を具備し、
前記一部の送信ポイントを示す情報は、前記複数の送信ポイントのうち、いずれが前記一部の送信ポイントであるかを示すビットマップ型の情報である、
端末。
【請求項２】
前記複数の送信ポイントのそれぞれに、一つの参照信号が設定される、
請求項１記載の端末。
【請求項３】
前記一つの送信ポイントに、複数の参照信号が設定される、
請求項１記載の端末。
【請求項４】
前記一部の送信ポイントは、前記複数の送信ポイントのうち、チャネル情報がより良好である所定数の送信ポイントである、
請求項１記載の端末。
【請求項５】
前記一部の送信ポイントは、前記複数の送信ポイントのうち、複数送信ポイント協調送信の制御対象となる送信ポイントである、
請求項１記載の端末。
【請求項６】
前記第１のチャネル情報の報告頻度は、前記第２のチャネル情報の報告頻度よりも低い、
請求項１記載の端末。
【請求項７】
前記第１のチャネル情報に含まれるチャネル情報の情報量は、前記第２のチャネル情報に含まれるチャネル情報の情報量よりも小さい、
請求項１記載の端末。
【請求項８】
前記参照信号には、少なくとも、下り制御チャネルを復調するための参照信号が含まれる、
請求項１記載の端末。
【請求項９】
前記第２の情報は、所定の通知領域で通知され、
前記受信手段は、前記通知領域のうち前記第２の情報が割り当てられた領域以外の領域で、前記端末向けの下り制御信号の送信元である送信ポイントを示す情報を受信する、
請求項１記載の端末。
【請求項１０】
前記第２のチャネル情報を用いて、第３のチャネル情報を推定する推定手段、をさらに具備し、
前記送信手段は、推定された前記第３のチャネル情報に基づいて設定された送信電力で上り信号を送信する、
請求項１記載の端末。
【請求項１１】
前記一部の送信ポイントは、前記複数の送信ポイントのうち、複数送信ポイント協調受信の制御対象となる送信ポイントである、
請求項１０記載の端末。
【請求項１２】
前記送信電力は、前記一部の送信ポイントのそれぞれに対応する前記第３のチャネル情報の平均値を用いて設定される、
請求項１１記載の端末。
【請求項１３】
前記送信電力は、前記一部の送信ポイントのそれぞれに対応する前記第３のチャネル情報のうち、最も劣悪な値を用いて設定される、
請求項１０記載の端末。
【請求項１４】
前記送信電力は、前記一部の送信ポイントのそれぞれに対応する前記第３のチャネル情報のうち、最も良好な値を用いて設定される、
請求項１０記載の端末。
【請求項１５】
前記送信電力は、前記一部の送信ポイントのそれぞれに対応する複数の前記第３のチャネル情報の中間値を用いて設定される、
請求項１０記載の端末。
【請求項１６】
前記送信電力は、前記第３のチャネル情報に重み係数を乗算した値を用いて設定され、
前記一部の送信ポイントの数が多いほど、前記重み係数をより大きくする、
請求項１０記載の端末。
【請求項１７】
前記第３のチャネル情報は、前記第３のチャネル情報の算出の基準となる送信ポイントのパラメータと、前記第２のチャネル情報とから推定され、
前記第２の情報は、所定の通知領域で通知され、
前記受信手段は、前記通知領域のうち前記第２の情報が割り当てられた領域以外の領域で、前記基準となる送信ポイントを示す情報を受信する、
請求項１０記載の端末。
【請求項１８】
前記第２の情報は、所定の通知領域で通知され、
前記受信手段は、前記通知領域のうち前記第２の情報が割り当てられた領域以外の領域で、前記送信電力の設定に用いられるパラメータを示す情報を受信し、前記パラメータは前記送信電力の設定の基準となる送信ポイントに応じた値が設定される、
請求項１０記載の端末。
【請求項１９】
複数の送信ポイント、および、前記複数の送信ポイントのうち一部であって少なくとも一つの送信ポイントを設定する設定手段と、
前記複数の送信ポイントを示す第１の情報、および、前記一部の送信ポイントを示す第２の情報を、端末に送信する送信手段と、
前記端末において、前記第１の情報に基づいて生成される、前記複数の送信ポイントからの複数の参照信号のそれぞれに対するチャネル情報を含む第１のチャネル情報、および、前記端末において、前記第２の情報に基づいて生成される、前記一部の送信ポイントからの参照信号に対するチャネル情報を含む第２のチャネル情報を受信する受信手段と、
を具備し、
前記一部の送信ポイントを示す情報は、前記複数の送信ポイントのうち、いずれが前記一部の送信ポイントであるかを示すビットマップ型の情報である、
基地局。
【請求項２０】
複数の送信ポイントからの複数の参照信号を受信し、
前記複数の送信ポイントを示す第１の情報を受信し、
前記第１の情報に基づいて、前記複数の送信ポイントからの前記複数の参照信号のそれぞれに対するチャネル情報を含む第１のチャネル情報を生成して送信し、
前記複数の送信ポイントのうち一部であって少なくとも一つの送信ポイントを示す第２の情報を受信し、
前記第２の情報に基づいて、前記一部の送信ポイントからの前記参照信号に対するチャネル情報を含む第２のチャネル情報を生成して送信し、
前記一部の送信ポイントを示す情報は、前記複数の送信ポイントのうち、いずれが前記一部の送信ポイントであるかを示すビットマップ型の情報である、
送信方法。
【請求項２１】
複数の送信ポイントを設定し、前記複数の送信ポイントを示す第１の情報を、端末に送信し、
前記端末において、前記第１の情報に基づいて生成される、前記複数の送信ポイントからの複数の参照信号のそれぞれに対するチャネル情報を含む第１のチャネル情報を受信し、
前記複数の送信ポイントのうち一部であって少なくとも一つの送信ポイントを設定し、前記一部の送信ポイントを示す第２の情報を、前記端末に送信し、
前記端末において、前記第２の情報に基づいて生成される、前記一部の送信ポイントからの参照信号に対するチャネル情報を含む第２のチャネル情報を受信し、
前記一部の送信ポイントを示す情報は、前記複数の送信ポイントのうち、いずれが前記一部の送信ポイントであるかを示すビットマップ型の情報である、
受信方法。
【発明の詳細な説明】
【技術分野】
【０００１】
本発明は、端末、基地局、送信方法および受信方法に関する。
【背景技術】
【０００２】
３ＧＰＰ−ＬＴＥ(3rd Generation Partnership Project Radio Access Network Long Term Evolution、以下、ＬＴＥという)、および、ＬＴＥをさらに拡張したLTE-Advanced（以下、「ＬＴＥ−Ａ」という）では、下りリンクの通信方式としてＯＦＤＭＡ（Orthogonal Frequency Division Multiple Access）が採用されている。【０００３】
ＯＦＤＭＡにおける周波数スケジューリングおよびリンクアダプターションのために、各端末（ＵＥ（User Equipment）と呼ばれることもある）は、チャネル情報（ＣＳＩ：Channel State Information）を測定し、チャネル情報（ＣＳＩ測定結果）を基地局（ｅＮＢと呼ばれることもある）へ報告する。一方、基地局は、チャネル情報（ＣＳＩ測定結果）を用いて端末に対して適切なリソース割当を実施する。【０００４】
ＬＴＥでは、セル固有の参照信号（ＣＲＳ：Cell specific Reference Signal）を用いてＣＳＩ測定が行われる。ＣＲＳは、全てのサブフレームで送信される。端末では、同期確保した時点でＣＲＳを観測することができる。【０００５】
一方、ＬＴＥ−Ａでは、ＣＳＩ−ＲＳ（チャネル品質測定用参照信号）を用いてＣＳＩ測定が行われる。なお、ＬＴＥ−Ａでは、ＬＴＥとの後方互換性を維持しつつ拡張されたシステムであるので、ＬＴＥ−Ａ特有の参照信号であるＣＳＩ−ＲＳは、時間・周波数の双方の領域において低密度で配置され、ＣＳＩ−ＲＳの挿入損を最小限としている。このため、端末は、低密度で配置されたＣＳＩ−ＲＳを観測するまでに、ＣＳＩ−ＲＳに関するパラメータを、セル内で報知される情報（報知情報）として取得する必要がある。ＣＳＩ−ＲＳに関するパラメータとして、送信アンテナ数、サブフレーム内の時間・周波数リソースの位置、および、送信周期とサブフレームオフセット等が定義されている。【０００６】
また、ＬＴＥでは、ＣＳＩ測定およびＣＳＩ報告の動作として、周期的にＣＳＩ報告を実施する動作（以下、周期的ＣＳＩ報告と呼ぶ）、および、非周期的にＣＳＩ報告を実施する動作（非周期的ＣＳＩ報告）の２通りがある。【０００７】
周期的ＣＳＩ報告では、端末は、規定の上りリンクのリソース（例えば、上り制御チャネル）を用いた報告に備えて、複数の測定動作のうち、予め通知された一つの測定動作に従ってＣＳＩ測定を実施し、ＣＳＩ測定結果を上り制御チャネルに配置して基地局へ報告する。測定動作の一例として、閉ループのＭＩＭＯ（Multiple Input Multiple Output）制御を想定したＣＳＩ報告が挙げられる。このＣＳＩ報告では、例えば、空間多重数を示すＲＩ（Rank Indicator）、広帯域の所望プリコーディングマトリクス（ＰＭＩ：Precoding Matrix Indicator）、広帯域のチャネル品質情報（ＣＱＩ：Channel Quality Indicator）を測定し報告する動作を採る。すなわち、ＣＳＩは、ＲＩ、広帯域ＰＭＩおよび広帯域ＣＱＩで構成される。【０００８】
また、非周期的ＣＳＩ報告でも、周期的ＣＳＩ報告と同様、端末は、予め通知された一つの測定動作に従ってＣＳＩ測定を実施する。ただし、非周期的ＣＳＩ報告では、端末が基地局から指示されたタイミングでＣＳＩを報告する点、および、共通データチャネル上のリソースを用いてＣＳＩを報告する点が周期的ＣＳＩ報告と異なる。【０００９】
上述したような測定動作を予め通知する方法として、無線リソース制御用のメッセージ（RRC signalling）を用いる方法がある。また、非周期的ＣＳＩ報告の指示は、下り制御チャネル（例えば、ＰＤＣＣＨ）を用いた上りデータチャネル（例えば、ＰＵＳＣＨ）の割当を通じて実施される。【００１０】
なお、周期的ＣＳＩ報告と非周期的ＣＳＩ報告とで異なる測定動作を通知することもできる。例えば、周期的ＣＳＩ報告では、前述のように、ＲＩ、広帯域ＰＭＩおよび広帯域ＣＱＩを報告する一方で、非周期的ＣＳＩ報告では、ＲＩ、広帯域ＰＭＩおよび狭帯域ＣＱＩを報告することもできる。つまり、非周期的ＣＳＩ報告では、周期的ＣＳＩ報告における広帯域ＣＱＩの代わりに狭帯域ＣＳＩが報告される。この場合、周期的ＣＳＩ報告を緊急性の低いデータ送信時に参照する大まかなリンクアダプテーション用途とし、非周期的ＣＳＩ報告を緊急性の高いデータ送信時に参照する詳細なリンクアダプテーション用途として、両者を使い分ける運用が可能となる。【００１１】
さらに、ＬＴＥ−Ａでは、周期的ＣＳＩ報告において予め通知された２種類の測定対象をそれぞれ報告する動作が追加された。また、ＬＴＥ−Ａでは、非周期的ＣＳＩ報告においても予め通知された２種類の測定対象と、基地局から指示されるタイミングとを関連付けて、各タイミングでは、２種類の測定対象のうちいずれか一方の測定対象に対応した報告を行う動作が追加された。２種類の測定対象は、RRC signallingを用いて、連続する４０サブフレームに対応したビットマップで通知される。【００１２】
また、ＬＴＥ−Ａでは、Carrier aggregationの概念が導入されており、非周期的ＣＳＩ報告の指示ビット数が２bitに拡張され、報告を指示されたComponent carrierの測定および報告を行う動作に加え、予め通知された２種類のComponent carrier群の測定および報告を行う動作を採ることができる。【００１３】
また、複数基地局協調送信（ＣｏＭＰ：Coordinated multiple transmission point）の運用が検討されている。ＣｏＭＰは、端末（ＵＥ）に向けて複数の基地局（セル、ｅＮＢまたは送信ポイントと呼ばれることもある）が協調して信号を送信する手法であり、いくつかの方式が検討されている。例えば、３ＧＰＰにおいて検討されているＣｏＭＰの主な方式として、（１）ＣＢ（Coordinated beamforming）方式、および、（２）ＪＴ（Joint Transmission）方式の２つの方式が挙げられる。【００１４】
ＣＢ方式は、或る端末へのデータを特定の基地局（セル）のみで保有する方式である。すなわち、当該端末にとって、自機向けのデータを保有しないセル（例えば端末が接続するセルの隣接セル）からの信号は干渉と見なされる。ＣＢ方式では、送信パラメータの制御により、このセル間干渉を軽減する方法が採られる。具体的には、送信パラメータとしては、プリコーディング、送信電力、変調方式と符号化率等が挙げられる。これらの送信パラメータを適切に制御することにより、所望セル（端末向けのデータを保有するセル）からの信号を強めつつ、干渉セル（端末向けのデータを保有しないセル）からの信号を当該端末に対して弱くすることができる。【００１５】
一方、ＪＴ方式は、或る端末へのデータを複数の基地局（セル）で共有する方式である。よって、複数の基地局が該当の端末向けの信号を同時送信することが可能である。このため、端末は、他セルの信号を、干渉信号ではなく所望信号として扱うことができるので、端末で観測されるＳＩＮＲの改善が期待できる。さらに、ネットワーク内部の動作として、複数のセルにおけるプリコーディングウェイトの生成方法を工夫することにより、大きな性能改善が得られる。【００１６】
このようなＣｏＭＰ制御に向けて、ＣｏＭＰ制御の対象となる各セルと端末との間のチャネル情報を観測し、セル単位（送信ポイント単位）のチャネル情報としてネットワークに報告する方法がある。【００１７】
こうしたチャネル情報を観測する視点での送信ポイントは、前述のＣＳＩ−ＲＳを送信する実体としてＣＳＩ−ＲＳ−Ｒｅｓｏｕｒｃｅと呼ばれることもある。【００１８】
また、カバーエリアの大きさが異なる複数の基地局を用いたヘテロジーニアスネットワーク（Heterogeneous Network）がある。ヘテロジーニアスネットワークは、大きなカバーエリアをカバーするマクロ基地局（「マクロセル」、「ＨＰＮ（High Power Node）」または「Macro eNB」と呼ばれることもある）と、小さなカバーエリアをカバーするピコ基地局（「ピコセル」、「ＬＰＮ（Low Power Node）」または「Pico eNB」と呼ばれることもある）とを併用するネットワークである。ヘテロジーニアスネットワークにおいて、マクロセルのカバーエリア内に配置されたピコセルに対して、マクロセルと同一の識別番号（セルＩＤ）を付与することで、物理層の信号を用いて移動制御（ハンドオーバ）を簡易に実現する方法が検討されている。このようなヘテロジーニアスネットワークの運用に向けて、ＬＴＥ−Ａに対応する端末（以下、ＬＴＥ−Ａ端末という）向けに新たに追加されたＣＳＩ−ＲＳを用いてＬＴＥ−Ａ端末で測定されたチャネル情報（ＣＳＩ）をネットワークに報告させ、伝搬状況に応じた最適な送受信ポイントを選択する方法が検討されている（例えば、図１および非特許文献１参照）。【００１９】
さらに、ヘテロジーニアスネットワークにおいてＣｏＭＰを適用することも検討されている。例えば、図１に示すＬＰＮ１とMacro eNBとの間で、ＣＢ方式またはＪＴ方式等のＣｏＭＰを適用することにより、ＵＥにおける受信品質の改善が期待できる。
【先行技術文献】
【非特許文献】
【００２０】
【非特許文献１】3GPP TSG RAN WG1 meeting, R1-111469, Samsung, “Discussions on CSI-RS port selection for non-uniform networks with low-power nodes”, May 2011
【発明の概要】
【発明が解決しようとする課題】
【００２１】
上述した物理層での移動制御とＣｏＭＰ制御とを単純に組み合わせると、チャネル情報報告において次のような課題が生じる。【００２２】
物理層での移動制御を想定したヘテロジーニアスネットワークでは、簡易な制御の利点を活かすべく、同一マクロセルの領域（マクロ基地局のカバーエリア）内に存在する全ての基地局（セル）の品質をネットワークへ報告させることが考えられる。例えば、図２では、Macro eNB、ＬＰＮ１、ＬＰＮ２およびＬＰＮ３の品質をネットワークへ報告させることが考えられる。【００２３】
また、ＣｏＭＰ制御に関しては、プリコーディング、および、各サブバンドでのＣＱＩ等の比較的詳細なチャネル情報（ＣＳＩ）が必要となるので、各基地局について詳細なチャネル情報（ＣＳＩ）を報告することが求められる。【００２４】
これらより、同一マクロセルの領域内に存在する全ての基地局について、詳細なチャネル情報（ＣＳＩ）を報告するのでは、チャネル情報の報告に必要となる上り信号のデータ量が大きくなり、端末ではその上り信号を送信するために必要な送信電力が増大してしまうという課題が生じる。【００２５】
この課題を回避するために、個別の無線リソース制御情報の通知（RRC signalling）によって、チャネル情報の報告対象を制限することも可能である。しかし、一般的に、無線リソース制御情報の更新には長時間を要するため、制御遅延が大きくなり前述の物理層での移動制御を適用する利点が損なわれる。【００２６】
また、ＣｏＭＰ制御の観点では、或る端末（ＵＥ）向けのデータ送信に関連する受信品質の改善には、特定のセル（送信ポイント）のみが寄与する可能性が高い。具体的には、図２では、ＬＰＮ１の近傍に位置するＵＥに対して、送信電力が大きいMacro eNB、および、ＵＥの近傍に配置されたＬＰＮ１からの信号は品質改善に寄与すること考えられるが、十分に距離が離れているＬＰＮ２およびＬＰＮ３からの信号は品質改善に寄与することがほとんど無い。つまり、図２では、Macro eNBおよびＬＰＮ１でのみＣｏＭＰ制御を行うことで十分な品質改善が得られることになる。しかしながら、上述したように物理層での移動制御とＣｏＭＰ制御との組み合わせを考慮すると、図２に示すＵＥは、Macro eNBおよびＬＰＮ１のみでなく、ＬＰＮ２およびＬＰＮ３に対しても、チャネル情報（ＣＳＩ）の測定および報告を行う必要があるので、ＣｏＭＰ制御について無駄な情報を送信することによる上りリンクでの不要な干渉の発生が生じ易くなり、キャパシティを圧迫する要因となる。【００２７】
本発明の目的は、移動制御の候補を広く確保しつつ、端末におけるＣＳＩ報告を送信するために必要な送信電力の増大を抑えることができる端末、基地局、送信方法および受信方法を提供することを目的とする。
【課題を解決するための手段】
【００２８】
本発明の一態様の端末は、複数の送信ポイントからの複数の参照信号、前記複数の送信ポイントを示す第１の情報、および、前記複数の送信ポイントのうち一部であって少なくとも一つの送信ポイントを示す第２の情報、を受信する受信手段と、前記第１の情報に基づいて、前記複数の送信ポイントからの前記複数の参照信号のそれぞれに対するチャネル情報を含む第１のチャネル情報を生成し、前記第２の情報に基づいて、前記一部の送信ポイントからの前記参照信号に対するチャネル情報を含む第２のチャネル情報を生成する生成手段と、生成された前記第１のチャネル情報及び前記第２のチャネル情報を送信する送信手段と、を具備する構成を採る。【００２９】
本発明の一態様の基地局は、複数の送信ポイント、および、前記複数の送信ポイントのうち一部であって少なくとも一つの送信ポイントを設定する設定手段と、前記複数の送信ポイントを示す第１の情報、および、前記一部の送信ポイントを示す第２の情報を、端末に送信する送信手段と、前記端末において、前記第１の情報に基づいて生成される、前記複数の送信ポイントからの複数の参照信号のそれぞれに対するチャネル情報を含む第１のチャネル情報、および、前記端末において、前記第２の情報に基づいて生成される、前記一部の送信ポイントからの参照信号に対するチャネル情報を含む第２のチャネル情報を受信する受信手段と、を具備する構成を採る。【００３０】
本発明の一態様の送信方法は、複数の送信ポイントからの複数の参照信号を受信し、前記複数の送信ポイントを示す第１の情報を受信し、前記第１の情報に基づいて、前記複数の送信ポイントからの前記複数の参照信号のそれぞれに対するチャネル情報を含む第１のチャネル情報を生成して送信し、前記複数の送信ポイントのうち一部であって少なくとも一つの送信ポイントを示す第２の情報を受信し、前記第２の情報に基づいて、前記一部の送信ポイントからの前記参照信号に対するチャネル情報を含む第２のチャネル情報を生成して送信する。【００３１】
本発明の一態様の受信方法は、複数の送信ポイントを設定し、前記複数の送信ポイントを示す第１の情報を、端末に送信し、前記端末において、前記第１の情報に基づいて生成される、前記複数の送信ポイントからの複数の参照信号のそれぞれに対するチャネル情報を含む第１のチャネル情報を受信し、前記複数の送信ポイントのうち一部であって少なくとも一つの送信ポイントを設定し、前記一部の送信ポイントを示す第２の情報を、前記端末に送信し、前記端末において、前記第２の情報に基づいて生成される、前記一部の送信ポイントからの参照信号に対するチャネル情報を含む第２のチャネル情報を受信する。
【発明の効果】
【００３２】
本発明によれば、移動制御の候補を広く確保しつつ、端末におけるＣＳＩ報告を送信するために必要な送信電力の増大を抑えることができる。
【図面の簡単な説明】
【００３３】
【図１】ヘテロジーニアスネットワークにおける移動制御の説明に供する図
【図２】物理層での移動制御とＣｏＭＰ制御のＣＳＩ報告とを組み合わせた際に生じる課題の説明に供する図
【図３】本発明の実施の形態１に係る基地局の主要構成図
【図４】本発明の実施の形態１に係る端末の主要構成図
【図５】本発明の実施の形態１に係る基地局の構成を示すブロック図
【図６】本発明の実施の形態１に係るＭＡＣ  ＣＥの一例を示す図
【図７】本発明の実施の形態１に係る端末の構成を示すブロック図
【図８】本発明の実施の形態１に係る基地局および端末の処理を示す図
【図９】本発明の実施の形態２に係る送信ポイントとＣＳＩ−ＲＳ設定との対応付けを示す図
【図１０】本発明の実施の形態５に係るＭＡＣ  ＣＥの一例を示す図
【図１１】本発明の実施の形態６に係る基地局の構成を示すブロック図
【図１２】本発明の実施の形態６に係る端末の構成を示すブロック図
【図１３】本発明の実施の形態６に係る基地局および端末の処理を示す図
【図１４】本発明の実施の形態９に係るＭＡＣ  ＣＥの一例を示す図
【図１５】本発明の実施の形態１０に係るＭＡＣ  ＣＥの一例を示す図
【発明を実施するための形態】
【００３４】
以下、本発明の実施の形態について図面を参照して詳細に説明する。なお、実施の形態において、同一の構成要素には同一の符号を付し、その説明は重複するので省略する。
【００３５】
［実施の形態１］
［通信システムの概要］
本発明の実施の形態１に係る通信システムは、基地局１００と端末２００とを有する。基地局１００は、ＬＴＥ−Ａ基地局であり、端末２００は、ＬＴＥ−Ａ端末である。
【００３６】
図３は、本発明の実施の形態１に係る基地局１００の主要構成図である。基地局１００において、設定部１０１が、複数の送信ポイント、および、複数の送信ポイントのうち一部であって少なくとも一つの送信ポイントを設定し、送信処理部１０４が、複数の送信ポイントを示す第１の情報、および、一部の送信ポイントを示す第２の情報を、端末２００に送信し、受信処理部１０８が、端末２００において、第１の情報に基づいて生成される、複数の送信ポイントからの複数の参照信号（ＣＳＩ−ＲＳ）のそれぞれに対するチャネル情報を含む第１のチャネル情報、および、端末２００において、第２の情報に基づいて生成される、一部の送信ポイントからの参照信号（ＣＳＩ−ＲＳ）に対するチャネル情報を含む第２のチャネル情報を受信する。
【００３７】
図４は、本発明の実施の形態１に係る端末２００の主要構成図である。端末２００において、受信処理部２０３が、複数の送信ポイントからの複数の参照信号（ＣＳＩ−ＲＳ）、複数の送信ポイントを示す第１の情報、および、複数の送信ポイントのうち一部であって少なくとも一つの送信ポイントを示す第２の情報、を受信し、ＣＳＩ生成部２０６が、第１の情報に基づいて、複数の送信ポイントからの複数の参照信号のそれぞれに対するチャネル情報を含む第１のチャネル情報を生成し、第２の情報に基づいて、一部の送信ポイントからの参照信号に対するチャネル情報を含む第２のチャネル情報を生成し、送信信号形成部２０８が、生成された第１のチャネル情報及び第２のチャネル情報を送信する。
【００３８】
また、以下では、上りリンクと下りリンクとが周波数分割されるＦＤＤシステムを前提として説明する。しかし、これに限らず、上りリンクと下りリンクとが時間分割されるＴＤＤシステムにおいて、端末２００が基地局１００にチャネル情報を報告する構成でもよい。
【００３９】
また、以下では、単一の基地局１００によって、マクロセルとピコセルとを形成する構成について説明する。しかし、これに限らず、複数の基地局１００によりマクロセル、ピコセルをそれぞれ形成し、適切に信号を共有することにより両者を連携して動作させる構成でもよい。
【００４０】
［基地局１００の構成］
図５は、本発明の実施の形態１に係る基地局１００の構成を示すブロック図である。図５において、基地局１００は、設定部１０１と、符号化・変調部１０２、１０３と、送信処理部１０４と、送信部１０５−１、１０５−２と、アンテナ１０６−１、１０６−２と、受信部１０７−１、１０７−２と、受信処理部１０８と、データ受信部１０９と、ＣＳＩ受信部１１０とを有する。
【００４１】
設定部１０１は、ＣＳＩ報告対象端末２００に対して、そのＣＳＩ報告対象端末２００の接続先候補となり得る複数の送信ポイント（ＴＰ：Transmission Point）を示す「ＴＰ候補情報」を生成する。ＴＰ候補情報には、移動制御の候補となる送信ポイント（ＴＰ）に関する情報として、アンテナ数、リソースの位置、参照信号の送信タイミング等のパラメータが送信ポイント毎に含まれる。すなわち、設定部１０１は、各送信ポイントに対してチャネル情報（ＣＳＩ）を測定するのに必要なパラメータを、ＣＳＩ報告対象端末２００に対して設定する。例えば、設定部１０１は、ＴＰ候補情報に含まれる送信ポイントとして、端末におけるＣＲＳ観測結果の報告値を用い、基地局１００にて保有する各ＴＰの設置位置情報を参照することにより、移動制御の候補となる送信ポイント（CoMP resource management set）を設定する。
【００４２】
また、設定部１０１は、ＣＳＩ報告対象端末２００に対して、ＴＰ候補情報に含まれる複数の送信ポイントの候補のうち、一部の送信ポイントであって少なくとも一つの送信ポイントを示す「一部のＴＰ情報」を生成する。例えば、設定部１０１は、一部のＴＰ情報に含まれる送信ポイントとして、複数の送信ポイントの候補のうち、ＣｏＭＰ制御の対象となる送信ポイント（CoMP measurement set）を設定する。
【００４３】
以上のように設定部１０１によって生成されたＴＰ候補情報および一部のＴＰ情報は、それぞれ設定情報として、符号化・変調部１０２、送信処理部１０４、及び送信部１０５において送信処理がなされた後に、ＣＳＩ報告対象端末２００へ送信される。
【００４４】
ＴＰ候補情報を通知する制御情報として、無線リソース制御の情報（RRC signalling）を用いることができる。また、一部のＴＰ情報は、MAC Control Element（ＭＡＣ  ＣＥ）を用いて通知されてもよい。ＭＡＣ  ＣＥは、ＭＡＣ層で付加されるヘッダとして制御情報が埋め込まれる。この際、一部のＴＰ情報において、各送信ポイントに対応するビットマップを用いて、各送信ポイントが一部の送信ポイントに該当するか否かを通知してもよい。すなわち、一部の送信ポイント（基地局）を示す「一部のＴＰ情報」は、複数の送信ポイント候補のうち、いずれが一部の送信ポイントであるかを示すビットマップ型の情報である。具体的には、図６は、インデックスｉ＝１〜７の７個の送信ポイントＴｉにそれぞれ対応するビットマップを示す。図６では、送信ポイントＴｉを表すTP index iのビットが‘１’であれば、送信ポイントＴｉが一部の送信ポイント（例えば、CoMP measurement set）に該当することを意味し、TP index iのビットが‘０’であれば、送信ポイントＴｉが一部の送信ポイントではないこと（例えば、CoMP measurement set以外の送信ポイント）に該当することを意味する。
【００４５】
設定部１０１は、ＴＰ候補情報および一部のＴＰ情報を符号化・変調部１０２を介してＣＳＩ報告対象端末２００へ送信すると共に、受信処理部１０８へ出力する。
【００４６】
また、設定部１０１は、前述のヘテロジーニアスネットワークにおける物理層での移動制御の対象端末２００に対して、下りリンクのチャネル情報の報告(以降、下りＣＳＩ報告と記載。または下りCSI feedbackと呼ぶこともある)を、複数の送受信ポイント（複数のセル）と端末との間の各下りリンクのチャネルに対し測定し報告するように通知する。この通知（つまり下りＣＳＩの報告要求）は、例えば上位レイヤ情報として通知される。この下りＣＳＩ報告は、周期的なタイミング、または、トリガ情報に基づいた任意のタイミングで（非周期的に）実施することもできる。なお、トリガ情報は例えば下り制御チャネル（ＰＤＣＣＨ）に含まれる。
【００４７】
また、設定部１０１は、リソース（ＲＢ）割当情報、及び、１つまたは複数のトランスポートブロック（ＴＢ）に対するＭＣＳ情報を含む、割当制御情報を生成する。割当制御情報には、上りリンクデータを割り当てる上りリソース（例えば、ＰＵＳＣＨ（Physical Uplink Shared Channel））に関する割当制御情報、下りリンクデータを割り当てる下りリソース（例えば、ＰＤＳＣＨ（Physical Downlink Shared Channel））に関する割当制御情報がある。割当制御情報は、送信処理部１０４および受信処理部１０８に出力されるとともに、ＰＤＣＣＨによって、基地局１００から端末２００へ通知される。
【００４８】
符号化・変調部１０２は、設定部１０１から受け取る、設定情報（ＴＰ候補情報、一部のＴＰ情報を含む）、トリガ情報及び割当制御情報を符号化及び変調し、得られた変調信号を送信処理部１０４へ出力する。
【００４９】
符号化・変調部１０３は、入力されるデータ信号（送信データ）を符号化及び変調し、得られた変調信号を送信処理部１０４へ出力する。
【００５０】
送信処理部１０４は、符号化・変調部１０２及び符号化・変調部１０３から受け取る変調信号を、設定部１０１から受け取る下りリソース割当情報の示すリソースにマッピングすることにより、送信信号を形成する。ここで、送信信号がＯＦＤＭ信号である場合には、変調信号を、設定部１０１から受け取る下りリソース割当情報の示すリソースにマッピングし、逆高速フーリエ変換（ＩＦＦＴ）処理を施して時間波形に変換し、ＣＰ（Cyclic Prefix）を付加することにより、ＯＦＤＭ信号が形成される。
【００５１】
送信部１０５−１または１０５−２は、送信処理部１０４から受け取る送信信号に対して送信無線処理（アップコンバート、ディジタルアナログ（Ｄ／Ａ）変換など）を施し、アンテナ１０６−１または１０６−２を介して送信する。
【００５２】
受信部１０７−１および１０７−２は、アンテナ１０６−１または１０６−２を介して受信した無線信号に対して受信無線処理（ダウンコンバート、アナログディジタル（Ａ／Ｄ）変換など）を施し、得られた受信信号を受信処理部１０８へ出力する。
【００５３】
なお、図５において複数設けた送受信部およびアンテナについて、例えば、送信部１０５−１、受信部１０７−１およびアンテナ１０６−１をマクロセルの形成に用い、送信部１０５−２、受信部１０７−２およびアンテナ１０６−２をピコセルの形成に用いるといった運用も可能である。
【００５４】
また、基地局１００は、各送信ポイント（マクロセルおよびピコセル）に設定したＣＳＩ−ＲＳに関するパラメータ（ＣＳＩ−ＲＳ設定）に基づいて、ＣＳＩ−ＲＳを、各セルに対応するアンテナ１０６からそれぞれ送信する。
【００５５】
受信処理部１０８は、設定部１０１から受け取る上りリソース割当情報に基づいて上りデータ信号及びＡＣＫ／ＮＡＣＫ情報がマッピングされているリソースを特定し、受信信号から、特定されたリソースにマッピングされている信号成分を抽出する。
【００５６】
また、受信処理部１０８は、設定部１０１から受け取るＴＰ候補情報、一部のＴＰ情報を含む設定情報、および、トリガ情報に基づいて、ＣＳＩ報告がマッピングされているリソースを特定し、受信信号から、特定されたリソースにマッピングされている信号成分を抽出する。具体的には、受信処理部１０８は、周期的ＣＳＩ報告に対しては規定のサブフレームにおいて、上記特定されたリソースでＣＳＩ報告を受信する。一方、受信処理部１０８は、非周期的ＣＳＩ報告に対してはトリガ情報が送信されたサブフレームから４サブフレーム後のサブフレームにおいて、上記特定されたリソースでＣＳＩ報告を受信する。なお、ＣＳＩ報告を受信する際、受信処理部１０８は、ＴＰ候補情報に示される全ての送信ポイントに対応するＣＳＩ報告が含まれるか、一部のＴＰ情報に示される送信ポイントに対応するＣＳＩ報告のみが含まれるかを特定して、ＣＳＩ報告の信号成分を抽出する。
【００５７】
つまり、受信処理部１０８は、端末２００においてＴＰ候補情報に基づいて生成される、複数の送信ポイントからの複数のＣＳＩ−ＲＳのそれぞれに対するＣＳＩを含むＣＳＩ、および、端末２００において一部のＴＰ情報（およびトリガ情報）に基づいて生成される、一部の送信ポイントからのＣＳＩ−ＲＳに対するＣＳＩを含むＣＳＩを、所定のタイミング（周期的または非周期的なタイミング）で受信する。
【００５８】
ここで、受信信号が空間多重された（つまり、複数のコードワード（ＣＷ）によって送信された）信号である場合には、受信処理部１０８は、受信信号をＣＷ毎に分離する。また、受信信号がＯＦＤＭ信号である場合には、受信処理部１０８は、抽出された信号成分に対してＩＤＦＴ（Inverse Discrete Fourier Transform）処理を施すことにより、時間領域信号に変換する。
【００５９】
こうして受信処理部１０８によって抽出された上りデータ信号及びＡＣＫ／ＮＡＣＫ情報は、データ受信部１０９へ出力され、ＣＳＩは、ＣＳＩ受信部１１０へ出力される。
【００６０】
データ受信部１０９は、受信処理部１０８から受け取る信号を復号する。これにより、上りリンクデータ及びＡＣＫ／ＮＡＣＫ情報が得られる。
【００６１】
ＣＳＩ受信部１１０は、受信処理部１０８から受け取る信号を復調する。これにより、ＣＳＩが得られる。基地局１００は、受信した各送信ポイントのＣＳＩに基づいて、スケジューリングおよびリンクアダプテーションを実施する。
【００６２】
［端末２００の構成］
図７は、本発明の実施の形態１に係る端末２００の構成を示すブロック図である。ここでは、端末２００は、ＬＴＥ−Ａ端末である。
【００６３】
図７において、端末２００は、アンテナ２０１と、受信部２０２と、受信処理部２０３と、リファレンス信号生成部２０４と、データ信号生成部２０５と、ＣＳＩ生成部２０６と、送信制御部２０７と、送信信号形成部２０８と、送信部２０９とを有する。
【００６４】
受信部２０２は、アンテナ２０１を介して受信した無線信号に対して受信無線処理（ダウンコンバート、アナログディジタル（Ａ／Ｄ）変換など）を施し、得られた受信信号を受信処理部２０３へ出力する。
【００６５】
受信処理部２０３は、受信信号に含まれる設定情報（ＴＰ候補情報、一部のＴＰ情報）、割当制御情報、トリガ情報、及びデータ信号を抽出する。なお、端末２００には、ＴＰ候補情報、および、一部のＴＰ情報は、基地局１００から予め通知され、基地局１００と端末２００との間で共有される。また、受信処理部２０３は、割当制御情報を送信制御部２０７へ出力する。また、受信処理部２０３は、設定情報およびトリガ情報をＣＳＩ生成部２０６へ出力する。また、受信処理部２０３は、抽出されたデータ信号に対しては誤り検出処理を行い、誤り検出結果に応じたＡＣＫ／ＮＡＣＫ情報をデータ信号生成部２０５へ出力する。また、受信処理部２０３は、設定情報内のＴＰ候補情報に基づいて、受信信号から参照信号（例えば、ＣＳＩ−ＲＳ）を抽出し、参照信号をＣＳＩ生成部２０６に出力する。
【００６６】
リファレンス信号生成部２０４は、送信制御部２０７から生成指示を受け取ると、リファレンス信号（例えば、ＳＲＳ：Sounding Reference Signal）を生成し、送信信号形成部２０８へ出力する。
【００６７】
データ信号生成部２０５は、ＡＣＫ／ＮＡＣＫ情報及び送信データを入力とし、送信制御部２０７から受け取るＭＣＳ情報に基づいてＡＣＫ／ＮＡＣＫ情報及び送信データを符号化及び変調することにより、データ信号を生成する。Non-MIMO送信の場合には、１つのコードワード（ＣＷ）でデータ信号が生成され、MIMO送信の場合には、２つのコードワードでデータ信号が生成される。なお、受信信号がＯＦＤＭ信号の場合には、データ信号生成部２０５は、ＣＰ除去処理、ＦＦＴ処理も行う。
【００６８】
ＣＳＩ生成部２０６は、ＴＰ候補情報、一部のＴＰ情報、および、トリガ情報に基づいて、ＣＳＩ（チャネル情報）を生成する。具体的には、ＣＳＩ生成部２０６は、周期的ＣＳＩ報告が設定された場合、ＴＰ候補情報に含まれる全ての送信ポイントのＣＳＩ報告のタイミングでは、ＴＰ候補情報に含まれる全ての送信ポイントからのＣＳＩ−ＲＳを用いたＣＳＩ測定により、ＣＳＩを生成する。また、ＣＳＩ生成部２０６は、一部のＴＰ情報に示される送信ポイントのＣＳＩ報告のタイミングでは、一部のＴＰ情報に示される送信ポイントからのＣＳＩ−ＲＳを用いたＣＳＩ測定により、ＣＳＩを生成する。
【００６９】
また、ＣＳＩ生成部２０６は、非周期的ＣＳＩ報告が設定された場合、ＴＰ候補情報に含まれる全ての送信ポイントのＣＳＩ報告に対応するトリガ情報を受信すると、ＴＰ候補情報に含まれる全ての送信ポイントからのＣＳＩ−ＲＳを用いたＣＳＩ測定により、ＣＳＩを生成する。また、ＣＳＩ生成部２０６は、一部のＴＰ情報に示される送信ポイントのＣＳＩ報告に対応するトリガ情報を受信すると、一部のＴＰ情報に示される送信ポイントからのＣＳＩ−ＲＳを用いたＣＳＩ測定により、ＣＳＩを生成する。
【００７０】
つまり、ＣＳＩ生成部２０６は、ＴＰ候補情報に基づいて、複数の送信ポイントからの複数のＣＳＩ−ＲＳのそれぞれに対するＣＳＩを含むＣＳＩを生成し、一部のＴＰ情報（およびトリガ情報）に基づいて、一部の送信ポイントからのＣＳＩ−ＲＳに対するＣＳＩを含むＣＳＩを生成する。ＣＳＩ生成部２０６は、生成したＣＳＩを、送信信号形成部２０８に出力する。
【００７１】
送信制御部２０７は、受信処理部２０３から受け取る割当制御情報に基づいて、データ信号をマッピングする「データマッピングリソース」を特定し、データマッピングリソースに関する情報（以下、「データマッピングリソース情報」と呼ばれることがある）を送信信号形成部２０８へ出力すると共に、割当制御情報に含まれるＭＣＳ情報をデータ信号生成部２０５へ出力する。
【００７２】
送信信号形成部２０８は、リファレンス信号生成部２０４から受け取るリファレンス信号をリファレンス信号用のマッピングリソースにマッピングする。また、送信信号形成部２０８は、データ信号生成部２０５から受け取るデータ信号をデータマッピングリソース情報の示すデータマッピングリソースにマッピングする。また、送信信号形成部２０８は、ＣＳＩ生成部２０６から受け取るＣＳＩ報告を、ＣＳＩ報告用のマッピングリソースにマッピングする。こうして送信信号が形成される。なお、Non-MIMO送信の場合には、１コードワードのデータ信号が１レイヤに割り当てられ、MIMO送信の場合には、２コードワードのデータ信号が複数のレイヤに割り当てられる。また、送信信号がＯＦＤＭ信号の場合には、送信信号形成部２０８は、データ信号をＤＦＴ（Discrete Fourier transform）処理した後に、データマッピングリソースにマッピングする。また、形成された送信信号に対してＣＰが付加される。
【００７３】
送信部２０９は、送信信号形成部２０８で形成された送信信号に対して送信無線処理（アップコンバート、ディジタルアナログ（Ｄ／Ａ）変換など）を施してアンテナ２０１を介して送信する。
【００７４】
［基地局１００及び端末２００の動作］
以上の構成を有する基地局１００及び端末２００の動作について説明する。
【００７５】
基地局１００において、設定部１０１は、ＣＳＩ報告対象端末２００に対して、ＣＳＩ報告対象端末２００の移動制御の候補となる複数の送信ポイントの候補（ＴＰ候補）を示すＴＰ候補情報を生成する。また、設定部１０１は、ＣＳＩ報告対象端末２００に対して、複数の送信ポイントの候補のうち一部の送信ポイントであって少なくとも一つの送信ポイントを示す一部のＴＰ情報を生成する。
【００７６】
例えば、設定部１０１は、ＴＰ候補（接続先候補）として、Macro eNB、ＬＰＮ１、ＬＰＮ２、ＬＰＮ３の４つの送信ポイントを設定する。また、例えば、設定部１０１は、ＴＰ候補の４つの送信ポイントのうち、ＬＰＮ１のみを一部のＴＰ情報として設定する。
【００７７】
ＴＰ候補情報および一部のＴＰ情報を含む設定情報は、例えば、RRC signallingによって基地局１００から端末２００へ通知される。例えば、基地局１００は、設定情報を、CQI-ReportConfigメッセージに含めて通知してもよい。また、基地局１００は、ＣＳＩ報告対象端末２００に対して周期的ＣＳＩ報告または非周期的ＣＳＩ報告の何れであるかを設定し、設定した情報を、CQI-ReportConfigメッセージに含めて通知してもよい。
【００７８】
また、設定部１０１は、ＣＳＩ報告対象端末２００に対して、ＣＳＩ報告方法として２種類設定する。
【００７９】
一方の報告方法は、端末２００に対して、ＴＰ候補情報に示される送信ポイントの候補全てのＣＳＩを報告させる方法である。また、他方の報告方法は、端末２００に対して、一部のＴＰ情報に示される送信ポイントのＣＳＩのみを報告させる方法である。
【００８０】
例えば、設定部１０１は、ＣＳＩ報告対象端末２００に対して周期的ＣＳＩ報告を設定した場合、或るＣＳＩ報告タイミングではＴＰ候補情報に基づくＣＳＩ報告（全ての送信ポイントのＣＳＩ報告）をさせて、他の或るＣＳＩ報告タイミングでは一部のＴＰ情報に基づくＣＳＩ報告（一部の送信ポイントのＣＳＩ報告）をさせる。これにより、基地局１００（受信処理部１０８）は、周期的ＣＳＩ報告の各タイミングで、全ての送信ポイントのＣＳＩ報告、または、一部の送信ポイントのＣＳＩ報告のいずれかを受信する。
【００８１】
または、設定部１０１は、ＣＳＩ報告対象端末２００に対して非周期的ＣＳＩ報告を設定した場合、ＣＳＩ報告のトリガのうち、ＴＰ候補全てのＣＳＩ報告に対応したトリガのタイミングでＴＰ候補情報に基づくＣＳＩ報告（全ての送信ポイントのＣＳＩ報告）をさせる。また、設定部１０１は、ＣＳＩ報告のトリガのうち、一部のＴＰのＣＳＩ報告に対応したトリガのタイミングで一部のＴＰ情報に基づくＣＳＩ報告（一部の送信ポイントのＣＳＩ報告）をさせる。これにより、基地局１００（受信処理部１０８）は、全ての送信ポイントのＣＳＩ報告、および、一部の送信ポイントのＣＳＩ報告のうち、各タイミングに対応するＣＳＩ報告を受信する。
【００８２】
なお、基地局１００（設定部１０１）は、一部のＴＰ情報に含まれる送信ポイントの組み合わせを決定するために、ＴＰ候補情報に含まれる全ての送信ポイントのＣＳＩ報告を用いてもよい。具体的には、基地局１００は、ＴＰ候補情報に含まれる全ての送信ポイントのＣＳＩ報告のうち、ＣＳＩの良好な上位数個（所定数）の送信ポイントを、一部のＴＰ情報に含まれる送信ポイントの組み合わせとして決定してもよい。すなわち、一部のＴＰ情報に含まれる送信ポイントは、複数の送信ポイントのうち、ＣＳＩがより良い所定数の送信ポイントである。
【００８３】
また、基地局１００（設定部１０１）は、一部のＴＰ情報に含まれる送信ポイントの組み合わせ（例えば、図６のビットマップで‘１’となる送信ポイントの組み合わせ）を状況に応じて変更してもよい。例えば、一部のＴＰ情報に基づくＣＳＩ報告を受信した際、或る送信ポイントで劣悪なＣＳＩが報告されたとする。この場合、基地局１００は、当該送信ポイントを「一部のＴＰ情報」から削除しつつ、他の送信ポイントを「一部のＴＰ情報」に追加してもよい。または、基地局１００は、一部のＴＰ情報に含まれる送信ポイントと端末２００との間の物理的な距離が離れたと推測される場合、上記同様、当該送信ポイントを「一部のＴＰ情報」から削除してもよい。なお、基地局１００は、一部のＴＰ情報に含まれる送信ポイントの組み合わせを変更した際、ＭＡＣ  ＣＥを用いて任意のタイミングで端末２００に通知すればよい。
【００８４】
一方、端末２００において、ＣＳＩ生成部２０６は、設定情報（ＴＰ候補情報、一部のＴＰ情報）およびトリガ情報に基づいて、各報告タイミングのＣＳＩ報告が、ＴＰ候補情報に基づくＣＳＩ報告（全ての送信ポイントのＣＳＩ報告）であるか、一部のＴＰ情報に基づくＣＳＩ報告（一部の送信ポイントのＣＳＩ報告）であるかを特定する。そして、ＣＳＩ生成部２０６は、特定したＣＳＩ報告に応じて、各送信ポイント（全ての送信ポイントまたは一部の送信ポイント）のＣＳＩ測定を行い、ＣＳＩを生成する。
【００８５】
例えば、ＣＳＩ生成部２０６は、周期的ＣＳＩ報告が設定されている場合、或るＣＳＩ報告タイミングでは、ＴＰ候補情報に基づくＣＳＩ報告（全ての送信ポイントのＣＳＩ報告）を特定し、全ての送信ポイントのＣＳＩを生成する。一方、ＣＳＩ生成部２０６は、他の或るＣＳＩ報告タイミングでは一部のＴＰ情報に基づくＣＳＩ報告（一部の送信ポイントのＣＳＩ報告）を特定し、一部の送信ポイントのＣＳＩを生成する。
【００８６】
また、ＣＳＩ生成部２０６は、非周期的ＣＳＩ報告が設定されている場合、ＣＳＩ報告のトリガのうち、ＴＰ候補全てのＣＳＩ報告に対応したトリガのタイミングでは、ＴＰ候補情報に基づくＣＳＩ報告（全ての送信ポイントのＣＳＩ報告）を特定し、全ての送信ポイントのＣＳＩを生成する。一方、ＣＳＩ生成部２０６は、一部のＴＰのＣＳＩ報告に対応したトリガのタイミングでは、一部のＴＰ情報に基づくＣＳＩ報告（一部の送信ポイントのＣＳＩ報告）を特定し、一部の送信ポイントのＣＳＩを生成する。
【００８７】
次に、基地局１００および端末２００の処理の流れについて説明する。図８は、基地局１００および端末２００の処理の流れを示すシーケンス図を示す。なお、ここでは、移動制御において端末２００の接続先となり得る送信ポイント（ＴＰ候補）を、Macro eNB、ＬＰＮ１、ＬＰＮ２、ＬＰＮ３の４個の送信ポイントとする。
【００８８】
また、基地局１００は、CoMP measurement setの初期値として、或る単一の送信ポイントを設定する。例えば、CoMP measurement setの初期値として設定される単一の送信ポイントは、端末２００との間でステップ（以下、「ＳＴ」という）１０１〜ＳＴ１０５の処理（後述する）を行う送信ポイント（端末２００向けの下り制御信号のやり取りを行う送信ポイント。例えば、ＬＰＮ１）とする。基地局１００は、図６に示す「一部のＴＰ情報」の初期値として、当該単一の送信ポイントに対応するTP index iを‘１’とし、他の送信ポイントに対応するTP index iを‘０’とする。このようなビットマップで表される一部のＴＰ情報は、ＭＡＣ  ＣＥによって基地局１００から端末２００へ予め通知される。
【００８９】
図８において、ＳＴ１０１では、基地局１００は、ＴＰ候補情報を端末２００へ通知する。ここで、基地局１００は、ＴＰ候補として、Macro eNB、ＬＰＮ１、ＬＰＮ２、ＬＰＮ３を含める。また、基地局１００は、各ＴＰ候補とＣＳＩ−ＲＳ設定（CSI-RS configuration。CSI-RS-Config）とを対応付ける。ＣＳＩ−ＲＳ設定には、アンテナポート数、リソースの位置、周期とオフセット、データチャネルとの電力比等が含まれる。よって、ＴＰ候補情報は、ＴＰ候補に対応付けられた各ＣＳＩ−ＲＳ設定が順に並べられて構成される。このＴＰ候補情報は、無線リソース制御用のメッセージ（RRC signalling）で基地局１００から端末２００へ通知される。
【００９０】
ＳＴ１０２では、基地局１００は、自機に設定されたＣＳＩ−ＲＳを端末２００へ送信する。
【００９１】
ＳＴ１０３では、基地局１００は、端末２００に対して、全てのＴＰ候補のＣＳＩ報告を要求する（ここではＣＳＩ報告要求（Ｉ）と示す）。例えば、基地局１００は、非周期的ＣＳＩ報告に対応するトリガ情報によってＣＳＩ報告要求（Ｉ）を端末２００へ通知する。
【００９２】
ＳＴ１０３でＣＳＩ報告要求（Ｉ）を受け取ると、ＳＴ１０４では、端末２００は、ＳＴ１０２で受け取ったＣＳＩ−ＲＳを含む各送信ポイントから受信した複数のＣＳＩ−ＲＳを用いて、ＳＴ１０１で受け取ったＴＰ候補情報に示される全ての送信ポイント候補（Macro eNB、ＬＰＮ１、ＬＰＮ２、ＬＰＮ３のＣＳＩ）に対するＣＳＩ測定を行う。つまり、端末２００は、ＴＰ候補情報に基づいて、複数の送信ポイントからの複数のＣＳＩ−ＲＳのそれぞれに対するＣＳＩを生成する。
【００９３】
ＳＴ１０５では、端末２００は、ＳＴ１０４で測定したＣＳＩ（Macro eNB、ＬＰＮ１、ＬＰＮ２、ＬＰＮ３のＣＳＩ）を、基地局１００へ報告する。
【００９４】
ＳＴ１０６では、基地局１００は、ＳＴ１０５で受け取ったＣＳＩを復調する。このＣＳＩは、例えば、移動制御に使用される。
【００９５】
例えば、ＳＴ１０６において復調された、Macro eNB、ＬＰＮ１、ＬＰＮ２、ＬＰＮ３の各ＣＳＩのうち、Macro eNBのＣＳＩおよびＬＰＮ１のＣＳＩが良好であるとする。この場合、基地局１００は、Macro eNB、および、ＬＰＮ１の２つの送信ポイントを、CoMP measurement setに設定する。つまり、基地局１００は、一部のＴＰ情報に、Macro eNB、ＬＰＮ１の２つの送信ポイントを含める。例えば、ＣＳＩ−ＲＳ設定が「Macro eNB、ＬＰＮ１、ＬＰＮ２、ＬＰＮ３のＣＳＩ」の順に通知されている場合、一部のＴＰ情報は、ビットマップ「１，１，０，０，０」で表現される。すなわち、ここでは、ＣＳＩ報告対象として限定された一部の送信ポイント（一部のＴＰ情報）を、ＣｏＭＰ制御に用いるCoMP measurement set（ＣｏＭＰの制御対象の送信ポイント）として定義し、これらの送信ポイントに対するＣＳＩ報告要求を、CoMP measurement setのＣＳＩ報告を要求する動作と表現する。
【００９６】
ＳＴ１０７では、基地局１００は、この更新された一部のＴＰ情報（つまり、CoMP measurement setの更新）を、ＭＡＣ  ＣＥによって端末２００へ通知する。この際、基地局１００は、ＭＡＣ  ＣＥを通知した物理チャネルに対するＡＣＫ応答を受け取ると、端末２００でCoMP measurement setが適切に更新されたと判断する。
【００９７】
ＳＴ１０８では、基地局は、ＳＴ１０２と同様にして、自機に設定されたＣＳＩ−ＲＳを端末２００へ送信する。
【００９８】
ＳＴ１０９では、基地局１００は、端末２００に対して、CoMP measurement setのＣＳＩ報告を要求する。すなわち、基地局１００は、端末２００に対して、一部のＴＰ情報においてＣＳＩ報告対象である送信ポイントのＣＳＩ報告を要求する（ここではＣＳＩ報告要求（ＩＩ）と示す）。例えば、基地局１００は、非周期的ＣＳＩ報告に対応するトリガ情報によってＣＳＩ報告要求（ＩＩ）を端末２００へ通知する。
【００９９】
ＳＴ１０９でＣＳＩ報告要求（ＩＩ）を受け取ると、ＳＴ１１０では、端末２００は、ＳＴ１０８で受け取ったＣＳＩ−ＲＳを含む各送信ポイントからのＣＳＩ−ＲＳを用いて、ＳＴ１０８で受け取った一部のＴＰ情報においてＣＳＩ報告対象として示される送信ポイント候補（Macro eNB、ＬＰＮ１）に対するＣＳＩ測定を行う。つまり、端末２００は、一部のＴＰ情報に基づいて、一部の送信ポイントからのＣＳＩ−ＲＳに対するＣＳＩを生成する。
【０１００】
ＳＴ１１１では、端末２００は、ＳＴ１１０で測定したＣＳＩ（Macro eNB、ＬＰＮ１のＣＳＩ）を、基地局１００へ報告する。
【０１０１】
ＳＴ１１２では、基地局１００は、ＳＴ１１１で受け取ったＣＳＩを復調する。このＣＳＩは、例えば、ＣｏＭＰ制御に使用される。
【０１０２】
以降、基地局１００は、ＣｏＭＰ制御に必要な頻度で、CoMP measurement setのＣＳＩ報告要求（つまり、一部のＴＰ情報に基づくＣＳＩ報告要求（ＩＩ））を行う。また、基地局１００は、ＣＳＩ報告要求（ＩＩ）よりも少ない頻度で、全ての送信ポイントに対するＣＳＩ報告要求（つまり、ＴＰ候補情報に基づくＣＳＩ報告要求（Ｉ））を行う。
【０１０３】
ここで、図８に示すように、ＳＴ１１３で復調された、ＬＰＮ１のＣＳＩのうち、広帯域ＣＱＩ（Ｗ−ＣＱＩ）の示す値が所定の値（閾値）よりも小さくなり、基地局１００が、ＬＰＮ１から端末２００に届く信号の受信品質が劣悪になったことを検出したとする。この場合、基地局１００は、CoMP measurement set（つまり、一部のＴＰ情報）を更新する。例えば、基地局１００は、ＬＰＮ１の近傍に配置されたＬＰＮ２をCoMP measurement set（一部のＴＰ情報）に追加してもよい。この場合、一部のＴＰ情報は、ビットマップ「１，１，１，０，０」で表現される。ＳＴ１１４では、基地局１００は、この更新された一部のＴＰ情報（つまり、CoMP measurement setの更新）を、ＭＡＣ  ＣＥによって端末２００へ通知する。この際、基地局１００は、ＭＡＣ  ＣＥを通知した物理チャネルに対するＡＣＫ応答を受け取ると、端末２００でCoMP measurement setが適切に更新されたと判断する。
【０１０４】
ＳＴ１１５では、基地局１００は、ＳＴ１０２と同様にして、自機に設定されたＣＳＩ−ＲＳを端末２００へ送信する。ＳＴ１１６では、基地局１００は、端末２００に対して、CoMP measurement setのＣＳＩ報告（一部のＴＰ情報に基づくＣＳＩ報告要（ＩＩ））を要求する。ＳＴ１１７では、端末２００は、ＳＴ１１５で受け取ったＣＳＩ−ＲＳを含む各送信ポイントからのＣＳＩ−ＲＳを用いて、ＳＴ１１６で受け取った一部のＴＰ情報においてＣＳＩ報告対象として示される送信ポイント候補（Macro eNB、ＬＰＮ１、ＬＰＮ２）に対するＣＳＩ測定を行う。ＳＴ１１８では、端末２００は、ＳＴ１１７で測定したＣＳＩ（Macro eNB、ＬＰＮ１、ＬＰＮ２のＣＳＩ）を、基地局１００へ報告する。ＳＴ１１９では、基地局１００は、ＳＴ１１８で受け取ったＣＳＩを復調する。
【０１０５】
以降、基地局１００および端末２００は、上記処理を繰り返す。
【０１０６】
なお、図８では、非周期的ＣＳＩ報告を一例として説明した。つまり、基地局１００が、非周期的ＣＳＩ報告に対応する「トリガ情報」を用いて、ＴＰ候補情報に示される全ての送信ポイントのＣＳＩ報告要求と、一部のＴＰ情報に示される送信ポイント（CoMP measurement set）のＣＳＩ報告要求とを切り替える場合について説明した。しかし、これに限らず、例えば、基地局１００は、トリガされる「サブフレーム」に応じて２つのＣＳＩ報告方法を切り替えてもよい。具体的には、基地局１００は、偶数サブフレームのトリガでは、ＴＰ候補情報に示される全ての送信ポイントのＣＳＩ報告要求を実施し、奇数サブフレームのトリガでは、一部のＴＰ情報に示される送信ポイントのＣＳＩ報告要求を実施してもよい。または、基地局１００は、RRC signalingを用いて別途通知される、連続する４０サブフレームに対応したビットマップを用いて、上記２つのＣＳＩ報告方法を切り替えてもよい。または、トリガを用いた非周期的ＣＳＩ報告に限らず、周期的ＣＳＩ報告を用いて、上記２つのＣＳＩ報告方法を切り替えてもよい。
【０１０７】
このようにして、基地局１００において、設定部１０１が、複数の送信ポイント、上記複数の送信ポイントのうち一部の送信ポイントであって少なくとも一つの送信ポイントを設定し、送信処理部１０４が、複数の送信ポイントを示すＴＰ候補情報、および、一部の送信ポイントを示す一部のＴＰ情報を端末２００に送信し、受信処理部１０８が、端末２００において、ＴＰ候補情報に基づいて生成される、複数の送信ポイントからの複数のＣＳＩ−ＲＳのそれぞれに対するＣＳＩを含む第１のチャネル情報、および、端末２００において、一部のＴＰ情報に基づいて生成される、一部の送信ポイントからのＣＳＩ−ＲＳに対するＣＳＩを含む第２のチャネル情報を受信する。また、端末２００において、受信処理部２０３が、複数の送信ポイントからの複数のＣＳＩ−ＲＳ、複数の送信ポイントを示すＴＰ候補情報、および、上記複数の送信ポイントのうち一部の送信ポイントであって少なくとも一つの送信ポイントを示す一部のＴＰ情報を受信し、ＣＳＩ生成部２０６が、ＴＰ候補情報に基づいて、複数の送信ポイントからの複数のＣＳＩ−ＲＳのそれぞれに対するＣＳＩを含む第１のチャネル情報を生成し、一部のＴＰ情報に基づいて、一部の送信ポイントからのＣＳＩ−ＲＳに対するＣＳＩを含む第２のチャネル情報を生成し、送信信号形成部２０８が、生成された第１のチャネル情報及び第２のチャネル情報を送信する。
【０１０８】
また、例えば、基地局１００は、ＴＰ候補情報に含まれる全ての送信ポイントのＣＳＩを用いてCoMP measurement setを設定し、CoMP measurement setを構成する送信ポイントを示す「一部のＴＰ情報」を端末２００に通知する。例えば、基地局１００は、ＴＰ候補情報に含まれる全ての送信ポイントのうち、ＣＳＩがより良好である所定数の送信ポイントを、CoMP measurement set（一部の送信ポイント）に設定する。そして、基地局１００は、ＣｏＭＰ制御に必要な頻度で「一部のＴＰ情報」に基づくＣＳＩ報告を端末２００に指示する。このように、ＣＳＩ報告対象を、ＣｏＭＰ制御対象の送信ポイントのみに限定することで、ＣＳＩ報告に必要となる上り信号のデータ量の増大を抑えることができ、端末２００における上り信号を送信するために必要な送信電力の増大を抑えることができる。
【０１０９】
また、基地局１００は、「一部のＴＰ情報」に基づくＣＳＩ報告（上記第２のチャネル情報）の頻度よりも低い頻度で「ＴＰ候補情報」に基づくＣＳＩ報告（上記第１のチャネル情報）を端末２００に指示して、CoMP measurement set（つまり、一部のＴＰ情報）を更新する。これにより、ＣＳＩ報告に必要となる上り信号のデータ量の増大を抑えることができ、かつ、端末２００の接続先となり得る送信ポイントの候補を広い範囲で確保することができる。
【０１１０】
以上のように本実施の形態によれば、基地局１００は、端末２００に対して、移動制御の候補となる複数の送信ポイントを、RRC signaling等の制御を用いて長時間変更せずに用いて、これらの複数の送信ポイントのうち一部の送信ポイント（例えばＣｏＭＰ制御対象）のＣＳＩのみを端末２００に報告させる。よって、本実施の形態によれば、端末２００の接続先となり得る送信ポイントの候補のＣＳＩ報告を常に行う場合と比較して、端末２００の接続先となり得る送信ポイントの候補（移動制御の候補）を広く確保しつつ、端末２００におけるＣＳＩを送信するために必要な送信電力の増大を抑えることができる。
【０１１１】
また、基地局１００は、移動制御の候補となり得る送信ポイント（ＴＰ候補）毎に１つのＣＳＩ−ＲＳ設定（CSI-RS-Config）を対応付ける。つまり、複数の送信ポイントのそれぞれに、一つのＣＳＩ−ＲＳが設定される。すなわち、基地局１００は、ＬＴＥ−Ａで導入されたＣＳＩ−ＲＳ設定を流用してＴＰ候補情報を構成する。換言すると、ビットマップ型の情報である一部のＴＰ情報を構成する各ビット（送信ポイント）に対して、１つの送信ポイントに設定されたＣＳＩ−ＲＳ設定がそれぞれ対応付けられる。これにより、本実施の形態によれば、ＬＴＥ−Ａで導入されたＣＳＩ−ＲＳ設定を移動制御に流用しつつ、ＣｏＭＰ制御対象として限定された一部の送信ポイントを動的に通知することができるので、ＣＳＩ（通知に要する情報量が大きい情報）の報告に伴う端末２００での所要送信電力の増大を防ぐことができる。
【０１１２】
なお、本実施の形態において、ＴＰ候補情報として設定される送信ポイントの組み合わせを複数設定してもよい。この場合、例えば、基地局１００は、非周期的なトリガ情報（Aperiodic CSIトリガ）の異なるポイント（Aperiodic CSIトリガポイント）で何れの組み合わせを用いるかを端末２００に指示してもよい。または、基地局１００は、トリガの送信タイミングに応じていずれの組み合わせを用いるかを指示してもよい。
【０１１３】
なお、本実施の形態において、複数のComponent carrierを用いる設定としてもよい。具体的には、マクロセルをComponent carrier Aとし、複数のピコセルをComponent carrier Bと設定してもよい。また、本実施の形態において、セル間でサブフレームタイミングを異なる設定としてもよい。具体的には、マクロセルで設定するサブフレームタイミングに対しピコセルではαだけオフセットを加えるタイミング設定とし、マクロセルで第ｔサブフレームを送信する時点でピコセルでは第（ｔ＋α）サブフレームを送信する設定としてもよい。基地局および端末は、前述のＣＳＩ−ＲＳの設定情報に対応するサブフレームを、ここで設定したサブフレームタイミングを用いて解釈する。
【０１１４】
［実施の形態２］
本実施の形態において、基地局１００の設定部１０１（図５）は、実施の形態１と同様、各基地局（ＨＰＮおよびＬＰＮ）に対して、ＣＳＩ−ＲＳ設定（CSI-RS-Config）を設定する。例えば、設定部１０１は、図９Ａに示す２つの基地局のうち、一方の基地局に対するＣＳＩ−ＲＳ設定としてCSI-RS-Config_1を設定し、他方の基地局に対するＣＳＩ−ＲＳ設定としてCSI-RS-Config_2を設定する。
【０１１５】
また、基地局１００は、RRC signallingでＴＰ候補情報を通知する。この際、設定部１０１は、複数の基地局に設定されたＣＳＩ−ＲＳ設定を、１つの送信ポイントとして対応付ける。すなわち、基地局１００は、複数の基地局にそれぞれ設定されたＣＳＩ−ＲＳ設定を、１つの送信ポイントに設定された複数のＣＳＩ−ＲＳ設定として扱う。つまり、本実施の形態では、１つの送信ポイントに、複数のＣＳＩ−ＲＳが設定される。
【０１１６】
例えば、図９Ａでは、基地局１００は、２つの基地局にそれぞれ設定されたCSI-RS-Config_1およびCSI-RS-Config_2を、１つの送信ポイントTP_nに対応付ける。換言すると、ビットマップ型の情報である一部のＴＰ情報を構成する各ビット（送信ポイントTP_i。つまり、ＭＡＣ  ＣＥにおいて１bitで通知される送信ポイント）に対して、複数の基地局にそれぞれ設定された複数のＣＳＩ−ＲＳ設定がそれぞれ対応付けられる。
【０１１７】
そして、基地局１００は、図９Ａに示すTP_nを含む送信ポイントの候補を示す「ＴＰ候補情報」を端末２００へ通知する。また、基地局１００は、図９Ａに示すTP_nを含む送信ポイント候補のそれぞれが一部の送信ポイントであるか否かを示す「一部のＴＰ情報」を端末２００へ通知する。
【０１１８】
一方、端末２００のＣＳＩ生成部２０６は、基地局１００から通知されたＴＰ候補情報および一部のＴＰ情報に基づいて、ＣＳＩを生成する。例えば、図９Ａに示す送信ポイントT_nがＣＳＩ報告対象として指示された場合、ＣＳＩ生成部２０６は、図９に示す２つの基地局を１つの送信ポイントT_nと見なしてＣＳＩ測定を行い、ＣＳＩを生成する。つまり、ＣＳＩ生成部２０６は、ＴＰ候補情報に示される１つの送信ポイントT_n毎（ＭＡＣ  ＣＥによって通知される送信ポイントT_n単位）に、単一のＲＩ、ＰＭＩおよびＣＱＩを測定する。そして、端末２００は、送信ポイントT_n単位でＣＳＩを基地局１００へ報告する。
【０１１９】
なお、ＣＳＩ生成部２０６は、送信ポイントT_nについて最適なＰＭＩを選択する際、送信ポイントT_nに設定された複数のＣＳＩ−ＲＳに対して、同一のコードブックを用いてＰＭＩを測定する。例えば、図９Ａに示す各基地局に設定されたアンテナポート数が２つである場合には、TP_nは、２アンテナポートずつのＣＳＩ−ＲＳが２組設定され、合計４アンテナポートの１つの送信ポイントと見なされる。よって、ＣＳＩ生成部２０６は、４アンテナポート用のコードブックを用いて、送信ポイントT_nについて最適なＰＭＩを選択する。
【０１２０】
これにより、基地局１００は、複数の基地局に対するＣＳＩを、単一の送信ポイントT_nのＣＳＩとして受信することができる。例えば、図９Ａに示す２つの基地局に設定されたアンテナポート数がそれぞれ２つである場合、基地局１００は、合計４アンテナポート１〜４の１つの送信ポイントと見なされる送信ポイントTP_nのＣＳＩを受信する。そして、基地局１００は、TP_nのＣＳＩのうち、アンテナポート１，２に対応するＣＳＩをCSI-RS-Config_1に対応するＣＳＩとして受信し、アンテナポート３，４に対応するＣＳＩ報告をCSI-RS-Config_2に対応するＣＳＩとして受信する。
【０１２１】
こうすることで、端末２００の接続先となり得る送信ポイントの組み合わせの通知に要するビット数を低減することができる。すなわち、Aperiodic CSIトリガと対応させる際の通知に要するビット数を、実際のＣＳＩ−ＲＳ設定のセット数をそのまま通知する場合と比較してよりも少なくできる。
【０１２２】
また、端末２００は、どのＣＳＩ−ＲＳ（CSI-RS port。つまり、基地局（ＨＰＮ，ＬＰＮ））が地理的に近い配置であるかを意識することなく、複数のＣＳＩ−ＲＳ設定が対応付けられた送信ポイント毎にＣＳＩを報告することができる。すなわち、端末２００は、基地局（ＨＰＮ，ＬＰＮ）の物理的な配置とＣＳＩ−ＲＳ設定との対応を認識することなく、ＣＳＩ報告を行うことができる。
【０１２３】
また、端末２００は、複数のＣＳＩ−ＲＳ設定に対応するＣＳＩを、単一の送信ポイントとして測定および報告するので、ＣＳＩ報告に必要となる上り信号のデータ量の増大を抑えることができ、端末２００における上り信号を送信するために必要な送信電力の増大を抑えることができる。
【０１２４】
なお、本実施の形態において、ＭＡＣ  ＣＥを複数設けて、ＣＳＩ−ＲＳ設定と送信ポイントとの対応付けを複数設定してもよい。例えば、非周期的ＣＳＩ報告のトリガポイントまたはトリガされるタイミングに応じてＣＳＩ−ＲＳ設定と送信ポイントとの対応付けを切り替えてもよい。例えば、物理的に近い位置に配置された基地局（CSI-RS port）により協調ビーム（ＣＢ）送信する動作に対応するＣＳＩ報告（図９Ｂ参照）と、複数の基地局を束ねて等価的に大きなプリコーダとしたジョイント（ＪＴ）送信する動作に対応するＣＳＩ報告（図９Ａ参照）とを切り替えてもよい。これにより、基地局１００から端末２００へ通知する各送信ポイントについて、CSI-RS portの組み合わせを動的に切り替えることができる。
【０１２５】
また、本実施の形態では、複数の異なるＣＳＩ−ＲＳ設定を１つの送信ポイントに対応付ける場合について説明した。しかし、これに限らず、同一のＣＳＩ−ＲＳ設定を複数の送信ポイントに対応付けてもよい。例えば、図９Ｃに示すように、十分に距離が離れた基地局であって、端末（ＵＥ）ではそれぞれの基地局からのＣＳＩ−ＲＳを同時に観測できないような場合には、各基地局に対して同一のＣＳＩ−ＲＳ設定（図９ＣではCSI-RS-Config_1）を設定してもよい。これにより、異なる基地局（送信ポイント）で同一のＣＳＩ−ＲＳ設定を使い回すことができるので、システム全体において必要となるＣＳＩ−ＲＳ設定の数を削減することができる。
【０１２６】
［実施の形態３］
本実施の形態では、端末２００（図７）は、全ての送信ポイント候補のチャネル情報を報告する際、CoMP measurement setに含まれる送信ポイント候補に対するチャネル情報の情報量よりも、CoMP measurement set以外の送信ポイント候補に対するチャネル情報の情報量をより小さくする。
【０１２７】
具体的には、端末２００のＣＳＩ生成部２０６は、実施の形態１と同様、周期的ＣＳＩ報告要求または非周期的ＣＳＩ報告要求の指示を受け取り、ＴＰ候補情報または一部のＴＰ情報に示される送信ポイント候補に対するチャネル情報を生成する。
【０１２８】
ただし、ＴＰ候補情報に示される全ての送信ポイントのＣＳＩを報告する際、ＣＳＩ生成部２０６は、全ての送信ポイント候補のうち、CoMP measurement setに含まれる送信ポイント候補（つまり、一部のＴＰ情報に含まれる送信ポイント）に対して、実施の形態１と同様、ＣＱＩ、ＰＭＩ、ＲＩ等を含むＣＳＩを生成する。
【０１２９】
一方、ＣＳＩ生成部２０６は、全ての送信ポイント候補のうち、CoMP measurement setに含まれる送信ポイント候補（一部のＴＰ情報に含まれる送信ポイント）以外の残りの送信ポイント候補に対して、CoMP measurement setに含まれる送信ポイント候補のチャネル情報よりも情報量の小さいチャネル情報を生成する。
【０１３０】
例えば、ＣＳＩ生成部２０６は、CoMP measurement set以外の送信ポイント候補に対して、当該送信ポイントに設定されたアンテナポート数に依らず、Single antenna（例えばport15のように、CSI-RS-Configで通知されるアンテナポートのうち最若番のポートのみ）としてＣＳＩ測定を実施し、測定した結果を含むＣＳＩを生成する。
【０１３１】
または、ＣＳＩ生成部２０６は、CoMP measurement set以外の送信ポイント候補に設定されたＣＳＩ−ＲＳ設定が２アンテナポート以上の場合、当該送信ポイントに対して、ＰＭＩおよびＲＩを含まないＣＳＩ（例えば２アンテナポートの送信ダイバーシチ（port15,16のように、CSI-RS-Configで通知されるアンテナポートのうち若番の2ポート）によるＣＳＩ）を生成してもよい。
【０１３２】
または、ＣＳＩ生成部２０６は、CoMP measurement setに含まれる送信ポイント候補のＣＳＩ報告と比較して、相対的に制御の粒度を粗くして、CoMP measurement set以外の送信ポイント候補のＣＳＩ報告を生成してもよい。例えば、ＣＳＩ生成部２０６は、CoMP measurement setに含まれる送信ポイント候補に対して、狭帯域のＣＱＩ（subband CQI）を測定し、CoMP measurement set以外の送信ポイント候補に対して、広帯域のＣＱＩ（wideband CQI）を測定する。これにより、基地局１００（図５）は、CoMP measurement setに含まれる送信ポイントについて、ＣｏＭＰ制御の際、サブバンド単位のリソース制御が可能となる。一方で、CoMP measurement set以外の送信ポイント、つまり、移動制御の対象となる送信ポイントのＣＳＩ報告の情報量は低減される。
【０１３３】
つまり、端末２００においてＴＰ候補情報に基づいて複数の送信ポイントからの複数のＣＳＩ−ＲＳのそれぞれに対するＣＳＩ（第１のチャネル情報に含まれるＣＳＩ）の情報量は、端末２００において一部のＴＰ情報に基づいて、一部の送信ポイントからのＣＳＩ−ＲＳに対するＣＳＩ（第２のチャネル情報に含まれるＣＳＩ）の情報量よりも小さくなる。
【０１３４】
このように、本実施の形態では、端末２００は、CoMP measurement setに含まれる送信ポイントと、CoMP measurement set以外の送信ポイントとで、ＣＳＩ報告の内容を異ならせる。具体的には、基地局１００では、ＣｏＭＰ制御のために各送信ポイントのＣＱＩ／ＰＭＩ／ＲＩ等（例えば狭帯域の情報）が必要となる。これに対して、基地局１００では、移動制御のために各送信ポイントの信号強度（例えば広帯域の情報）が特定できれば十分である。そこで、端末２００は、CoMP measurement set以外の送信ポイントに対して、CoMP measurement setに含まれる送信ポイントのＣＳＩ報告よりも比較的情報量の小さいＣＳＩを生成する。これにより、基地局１００は、送信ポイント候補のうち、CoMP measurement setに含まれる送信ポイントについて、ＣｏＭＰ制御に必要となるチャネル情報を受信する。一方、基地局１００は、送信ポイント候補のうち、CoMP measurement set以外の送信ポイントについて、移動制御に必要最小限となるチャネル情報のみを受信する。
【０１３５】
このようにして、CoMP measurement set以外の送信ポイント（つまり、ＣｏＭＰ制御に用いられない送信ポイント）に対するＣＳＩ報告の内容を、移動制御に必要最小限の情報に絞り込むことで、実施の形態１と比較して、ＣＳＩ報告に必要となる上り信号のデータ量の増大を抑えることができ、端末２００における上り信号を送信するために必要な送信電力の増大を抑えることができる。
【０１３６】
なお、本実施の形態において、基地局１００は、CoMP measurement setに含まれる送信ポイントに対してデータチャネルとの電力比を小さくなるように（マイナスの範囲となるように）ＣＳＩの電力を設定し、CoMP measurement set以外の送信ポイントに対してデータチャネルとの電力比を大きくなるように（プラスの範囲となるように）ＣＳＩの電力を設定してもよい。これにより、ＣｏＭＰ制御対象の送信ポイントは、品質が良好でも、ＣＱＩテーブルの表せる上限を超えることなくＣＳＩ報告が可能となる。一方、移動制御の対象となる送信ポイントはＣＳＩ測定の可能な最小限の通信品質を下回った場合にも受信電力のレベルを表現することが可能となり、移動制御の柔軟性を高くすることができる。
【０１３７】
また、本実施の形態において、各送信ポイントとＭＡＣ  ＣＥとの対応付けを複数設定し、ＣＳＩ報告に関するパラメータを設定毎に異ならせてもよい。ＣＳＩ報告に関するパラメータとしては、ＣＱＩ報告に関するcqi-ReportMode、および、Periodic CSIの報告周期等が挙げられる。例えば、設定の１つ目のパターンとして、CoMP measurement setに含まれる送信ポイントには、狭帯域ＰＭＩおよび狭帯域ＣＱＩを対応付け、CoMP measurement set以外の送信ポイントには、ＰＭＩ無しで、広帯域ＣＱＩを対応付けてもよい。設定の２つ目のパターンとして、CoMP measurement setに含まれる送信ポイントには、広帯域ＰＭＩおよび広帯域ＣＱＩを対応付け、CoMP measurement set以外の送信ポイントには、ＲＳＲＰ（Reference Signal Reception Power）を対応付けてもよい。これらの設定を非周期的ＣＳＩ報告のトリガポイント、または、トリガのタイミングと関連付けて、基地局１００の指示に応じて切り替えて用いる動作が可能となる。これにより、ＣＳＩ報告対象端末２００におけるチャネル情報の測定・報告の負荷、または、上りリンクのトラフィック状況に応じたＣＳＩ報告の制御が可能となる。
【０１３８】
［実施の形態４］
本実施の形態において、基地局１００（図５）は、ＴＰ候補情報を通知する際、特定の送信ポイントに対して、ＣＲＳに対応したＣＳＩ報告を設定する。
【０１３９】
ここで、ＣＳＩ−ＲＳは、ＬＴＥ−Ａで追加された参照信号であり、チャネル推定等に使用される。一方、ＣＲＳは、ＬＴＥでも使用される参照信号であり、移動制御等に使用される。また、ＣＲＳは、下り制御チャネル（ＰＤＣＣＨ等）の信号を復調するために使用される。一方、ＣＳＩ−ＲＳは、下り制御チャネル（ＰＤＣＣＨ等）の信号を復調するために使用されない。
【０１４０】
端末２００（図７）は、ＣＳＩ報告要求の指示を受け取り、全ての送信ポイント候補に対するＣＳＩ報告、または、一部の送信ポイント候補（CoMP measurement setの送信ポイント）に対するＣＳＩ報告を行う際、ＣＲＳに対応した送信ポイントのＣＳＩ報告が指示されている場合、当該送信ポイントについてＣＲＳを用いたＣＳＩ測定を行い、測定したＣＳＩを基地局１００へ報告する。
【０１４１】
基地局１００は、端末２００から報告される、ＣＲＳに対応するＣＳＩを用いて、下り制御チャネル（ＰＤＣＣＨ）等を復調する。
【０１４２】
このように、本実施の形態では、端末２００において、ＣＳＩの生成に用いられる参照信号には、ＣＳＩ−ＲＳのみでなく、少なくとも、下り制御チャネル（ＰＤＣＣＨ）を復調するためのＣＲＳが含まれる。こうすることで、基地局１００は、ＣＳＩ−ＲＳを用いたＣＳＩのみでなく、ＣＲＳを用いたＣＳＩを用いることができるので、下り制御チャネル（ＰＤＣＣＨ）等、ＣＲＳを用いて復調するチャネルに対するリンクアダプテーション等に使用することができる。下り制御チャネルに対するリンクアダプテーションとして、具体的には、下り制御チャネル用のリソースであるControl Channel Elements（ＣＣＥｓ）をAggregationして用いる際のCCE aggregation数の決定、送信電力制御の電力設定などが挙げられる。
【０１４３】
なお、本実施の形態において、ＣＲＳを用いたＣＳＩ報告を、特定の送信ポイント（TP index）に対応付けてもよい。これにより、ＣＲＳを用いたＣＳＩ測定結果の報告の有無を、CoMP measurement set（一部のＴＰ情報）内の送信ポイントの追加・削除と同様に扱うことができる。よって、基地局１００で必要となる頻度でのみＣＲＳを用いたＣＳＩ測定結果を報告させることができる。
【０１４４】
また、本実施の形態において、ＣＲＳを用いたＣＳＩ報告の有無を、Aperiodic CSIトリガに対応付けてもよい。これにより、Aperiodic CSIトリガを用いて、ＣＲＳを用いたＣＳＩ報告の指示を動的に切り替えることができる。よって、基地局１００で必要となる頻度でのみＣＲＳを用いたＣＳＩ測定結果を報告させることができる。
【０１４５】
また、本実施の形態において、ＣＲＳを用いたＣＳＩ報告を、特定の送信ポイントの周期的ＣＳＩ報告（Periodic CSI報告）に含ませ、非周期的ＣＳＩ報告（Aperiodic CSI報告）には含めない構成としてもよい。これにより、ＣＲＳを用いたＣＳＩを、予め設定された頻度でのみ報告させることができる。
【０１４６】
また、本実施の形態において、ＭＡＣ  ＣＥで通知するビット（TP index）のうち特定の１ビット（特定のTP index）を、CoMP measurement set内の各送信ポイントのＰＭＩのみの報告の有無、および、ＣＲＳを用いて測定したCoMP measurement set以外の各送信ポイントの情報（つまり、干渉成分）の通知の有無に対応付けてもよい。これにより、ＣｏＭＰ制御に必要最小限のチャネル情報を、基地局１００で必要となる頻度でのみ報告させることができる。なお、ここではCoMP measurement set以外の各送信ポイントの情報（干渉成分）をＣＲＳを用いて測定する例を示したが、これに限らず、ＣＳＩ−ＲＳを用いて測定する動作としてもよい。
【０１４７】
また、本実施の形態において、ＭＡＣ  ＣＥで通知するビット（TP index）のうち特定の１ビット（特定のTP index）を、ＣＲＳを用いて測定したCovariance matrix等、Explicit feedbackを報告させる通知の有無に対応付けてもよい。これにより、ＣｏＭＰ制御に関連した、サイズの大きな情報を、基地局１００で必要となる頻度でのみ報告させることができる。なお、ここでは、Explicit feedbackをＣＲＳを用い測定する例を示したが、これに限らず、ＣＳＩ−ＲＳを用いて測定する動作としてもよい。
【０１４８】
［実施の形態５］
本実施の形態では、一部のＴＰ情報を通知するためのＭＡＣ  ＣＥにおいて、Ｓｅｒｖｉｎｇ  ＴＰが通知される。
【０１４９】
ここで、Ｓｅｒｖｉｎｇ  ＴＰは、端末２００との間で、制御信号等のやり取りを主体的に実施する送信ポイントである。つまり、Ｓｅｒｖｉｎｇ  ＴＰは、端末２００向けの下り制御信号（ＰＤＣＣＨ）の送信元となる送信ポイントである。
【０１５０】
具体的には、基地局１００は、送信ポイントの候補に関する情報（ＴＰ候補情報および一部のＴＰ情報）を端末２００へ通知する際、ＭＡＣ  ＣＥの所定のビット数を用いて、ＣＳＩ報告対象端末２００のＳｅｒｖｉｎｇ  ＴＰがいずれの送信ポイントであるかを端末２００へ明示的に通知する。
【０１５１】
例えば、図１０は、ＭＡＣ  ＣＥの構成を示す。図１０に示すＭＡＣ  ＣＥは１６ビットで構成される。
【０１５２】
図１０において、１６ビットのうち、１２ビットは、端末２００の接続先となり得る送信ポイント候補Ｔ１〜Ｔ１２が一部の送信ポイント（CoMP measurement set）であるか否かをそれぞれ表す。
【０１５３】
一方、図１０において、１６ビットのうち、送信ポイント候補を表す１２ビット以外の残りの４ビットは、端末２００のＳｅｒｖｉｎｇ  ＴＰ（Serving TPｉ）を表す。例えば、図１０に示すServing TPｉとして、図１０に示す送信ポイント候補Ｔ１〜Ｔ１２のうちいずれか１つが設定される。
【０１５４】
端末２００（受信処理部２０３）は、所定のサイズ（１６ビット分）を有するＭＡＣ  ＣＥ（通知領域）において、１６ビットのうち、一部のＴＰ情報が割り当てられた領域（１２ビット）以外の領域（残りの４ビット）で、端末２００向けの下り制御信号の送信元である送信ポイントを示すServing TPｉを受信する。端末２００は、ＭＡＣ  ＣＥを受け取ると、ＭＡＣ  ＣＥ内のＳｅｒｖｉｎｇ  ＴＰが割り当てられたリソースを確認して、端末２００のＳｅｒｖｉｎｇ  ＴＰ（制御信号のやり取りを行う送信ポイント）を特定する。
【０１５５】
ＭＡＣ  ＣＥは、任意のタイミングで情報を通知することが可能であり、ＲＲＣ制御（RRC signalling）よりも遅延無く情報を通知することができる。よって、本実施の形態によれば、ＭＡＣ  ＣＥを用いたＳｅｒｖｉｎｇ  ＴＰの通知によって、端末２００のＳｅｒｖｉｎｇ  ＴＰの動的な切り替えを遅延無く行うことが可能となる。
【０１５６】
なお、本実施の形態では、Ｓｅｒｖｉｎｇ  ＴＰの通知の際、ＴＰ候補として通知されたＣＳＩ−ＲＳ設定に対応する送信ポイント候補（端末２００の接続先となり得る送信ポイント）のうち、同一セルＩＤを有する送信ポイント内のいずれかをＳｅｒｖｉｎｇ  ＴＰとして通知してもよい。このように、Ｓｅｒｖｉｎｇ  ＴＰとなり得る送信ポイントを限定することにより、Ｓｅｒｖｉｎｇ  ＴＰの通知に要するビット数を低減することができ、制御情報のオーバーヘッドを低減することができる。すなわち、この場合、Ｓｅｒｖｉｎｇ  ＴＰの通知に要するビット数は、ＴＰ候補全てを表現可能なビット数ではなく、同一セルＩＤを有する送信ポイントを表現可能なビット数で済む。
【０１５７】
また、下り制御チャネル（例えば、ＰＤＣＣＨ）を検出する際のリソース候補が複数設定され、端末２００側でブラインド検出することによって端末２００向けの情報が割り当てられたリソースを特定するシステムに対して本実施の形態を適用してもよい。具体的には、端末２００がブラインド検出する対象リソース（端末２００向けの情報が割り当てられたリソース領域）をＭＡＣ  ＣＥの一部で通知してもよい。これにより、ＲＲＣ制御（RRC signalling）による通知と比較して、遅延を伴わずに動的に下り制御チャネルのリソースを切り替えることができる。これは、制御チャネルを送信する送信ポイントそのものを動的に切り替えることと等価的である。また、例えば、ＭＡＣ  ＣＥの一部の通知領域を、下り制御チャネルをデータ領域に配置したＥ−ＰＤＣＣＨのブラインド検出（ブラインド復号）領域の通知に用いてもよい。
【０１５８】
また、本実施の形態において、ＭＡＣ  ＣＥの一部で、ＣＳＩ報告用の上り制御チャネル（例えば、ＰＵＣＣＨ）のリソース領域を通知してもよい。これにより、ＲＲＣ制御（RRC signalling）による通知と比較して、上り制御チャネルを受信する送信ポイントを、遅延を伴わずに動的に切り替えることができる。ＣＳＩ報告用の上り制御チャネル（ＰＵＣＣＨ）のリソース領域に関する通知は、具体的には、利用するＲＢ番号、Ｃｙｃｌｉｃ  ｓｈｉｆｔ数、Ｗａｌｓｈ系列の番号などがある。
【０１５９】
また、本実施の形態において、ＭＡＣ  ＣＥの一部で、下りデータ信号（ＰＤＳＣＨ）に適用するスクランブリングコードを通知してもよい。これにより、ＲＲＣ制御（RRC signalling）による通知と比較して、遅延を伴わずに動的に下りデータ信号のスクランブリングコードを切り替えることができる。これは、ＣｏＭＰおよびマルチユーザＭＩＭＯに用いる下りデータ信号を送信する送信ポイントを動的に切り替えることと等価的である。
【０１６０】
［実施の形態６］
上記実施の形態では、物理層での移動制御とＣｏＭＰ制御とを単純に組み合わせた場合の、下りリンクのチャネル情報報告の動作について説明した。これに対して、本実施の形態では、物理層での移動制御とＣｏＭＰ制御とを単純に組み合わせた場合の、上り信号の送信電力制御に関する動作について説明する。
【０１６１】
端末は、上り信号の送信電力制御の際、パスロス（path loss。基地局（送信ポイント）と端末との間の伝搬減衰量）を算出する。例えば、端末は、パスロス算出の際、事前に通知された送信ポイントに対するＲＳＲＰ（Reference Signal Reception Power）を測定し、次式に従って、送信ポイントと端末との間のパスロスPL_cを推定する。
【数１】
0006007179.tif 000002
【０１６２】
式（１）において、referenceSignalPowerは別途基地局から通知された、送信ポイントが送信する信号（例えばＣＳＩ−ＲＳまたはＣＲＳ）の送信電力を示し、higher layer filtered RSRPは上述したＲＳＲＰ（例えば長時間の平均値）を示す。また、上述したＲＳＲＰの測定対象となる送信ポイントを予め通知する方法として、無線リソース制御用のメッセージ（RRC signalling）を用いる方法がある。
【０１６３】
式（１）に従って算出されるパスロスPL_cを用いて、第ｉサブフレーム（sub-frame）におけるチャネル品質測定用参照信号（ＳＲＳ：Sounding Reference Signal）の送信電力PSRS,c(i)、上り制御チャネル（ＰＵＣＣＨ：Physical Uplink Control CHannel）の送信電力PPUCCH(i)、および、上りデータ信号（ＰＵＳＣＨ：Physical Uplink Shared CHannel）の送信電力PPUSCH,c(i)が、次式（２）、（３）、（４）に従ってそれぞれ設定される。
【数２】
0006007179.tif 000003
【数３】
0006007179.tif 000004
【数４】
0006007179.tif 000005
【０１６４】
式（２）〜（４）において、PCMAX,c［ｄＢｍ］は端末の最大送信電力を示し、PSRS_OFFSET,c［ｄＢｍ］は端末が送信するＰＵＳＣＨの送信電力に対するオフセット値（基地局から設定されるパラメータ）を示し、MSRS,cはＳＲＳに割り当てられる周波数リソースブロック数を示し、PO_PUSCH,c［ｄＢｍ］はＰＵＳＣＨの送信電力の初期値（基地局から設定されるパラメータ）を示し、αcはパスロスの補償割合を表す重み係数（基地局から設定されるパラメータ）を示し、fc(i)はクローズドループ制御（閉ループ制御）されるＴＰＣ（Transmission Power Control）コマンド（制御値。例えば、+3dB,+1dB,0dB,-1dB）の過去の値を含めた第ｉサブフレームにおける累計値を示す。また、PO_PUCCH［ｄＢｍ］はＰＵＣＣＨの送信電力の初期値（基地局から設定されるパラメータ）を示し、h(nCQI,nHARQ,nSR)およびΔF_PUCCH(F)はＰＵＣＣＨのフォーマット種別、ビット数等に応じて設定されるパラメータを示し、ΔTxD(F')はＰＵＣＣＨに送信ダイバーシチを適用する場合に付与するオフセット量を示し、g(i)は、fc(i)と同様に、閉ループ制御されるＴＰＣコマンドの過去の値を含めた第ｉサブフレームにおける累計値を示す。さらに、MPUSCH,c(i)は、第ｉサブフレームにおいて割り当てられたＰＵＳＣＨの周波数リソースブロック数を示し、PO_PUSCH,c(j)［ｄＢｍ］は、ＰＵＳＣＨの送信電力の初期値を示し、準固定割当（ｊ＝０）および動的割当（ｊ＝１）の種別に応じて個別に基地局から設定されるパラメータである。ΔTF,c(ｉ)はＰＵＳＣＨで制御情報を送信する場合に、制御情報量に応じて設定可能なオフセット値を示す。
【０１６５】
このようにして、送信電力設定値は、事前に通知した送信ポイント（つまり、固定の送信ポイント）を基準（例えばパスロス測定の対象）として設定される。しかしながら、上述したヘテロジーニアスネットワークでは、端末が移動することで、パスロスが最小となる送信ポイントが事前に通知した送信ポイントと異なる場合がある。この場合にも、事前に通知した送信ポイントを基準として送信電力が設定されるので、最適な送信電力設定値（パスロスが最小となる送信ポイントを基準にした場合）と比較して、送信電力の設定値が大きくなってしまう。このため、パスロスが最小となる送信ポイントに対して大きな干渉を与え、キャパシティを圧迫するという課題が発生する。
【０１６６】
この課題を回避するために、個別の無線リソース制御情報の通知（RRC signalling）によって、パスロス算出対象（例えば、ＲＳＲＰ測定対象）とする送信ポイントを切り替えることも可能である。しかし、一般的に、無線リソース制御情報の更新には長時間を要するため、制御遅延が大きくなり前述の物理層での移動制御を適用する利点が損なわれる。
【０１６７】
また、上りリンクにＣｏＭＰ制御を適用する動作、すなわち、上り信号を複数の送信ポイント（受信ポイント（ＲＰ：Reception Point）と呼ばれることもある）で協調して受信する動作においても、事前に通知した送信ポイントを固定して送信電力を設定すると、協調受信することにより得られる受信品質の改善を送信電力制御に反映することができず、必要な送信電力が増大してしまう。
【０１６８】
そこで、本実施の形態では、上り信号の送信電力制御の際、実施の形態１と同様にして、端末は、当該端末の上り信号を受信し得る全ての送信ポイント候補のうち、一部の送信ポイント（例えば、複数送信ポイント協調受信の制御対象となる送信ポイント）を基準として、送信電力を設定する。
【０１６９】
以下、本実施の形態について具体的に説明する。
【０１７０】
［基地局３００の構成］
図１１は、本実施の形態に係る基地局３００の構成を示すブロック図である。なお、図１１において、実施の形態１（図５）と同一の構成要素には同一の符号を付し、その説明を省略する。
【０１７１】
設定部１０１は、実施の形態１の動作（下りリンクに対する動作）に加え、以下の動作（上りリンクに対する動作）を行う。具体的には、設定部１０１は、端末４００（後述する）に対して、当該端末４００の上り信号を受信し得る全ての送信ポイント候補（ＴＰ候補。または、受信ポイント候補（ＲＰ候補）と呼ぶこともある）を示す「ＴＰ候補情報」を生成する。
【０１７２】
また、設定部１０１は、端末４００に対して、ＴＰ候補情報に含まれる複数の送信ポイントの候補のうち、一部の送信ポイントであって少なくとも一つの送信ポイントを示す「一部のＴＰ情報」を生成する。例えば、設定部１０１は、一部のＴＰ情報に含まれる送信ポイントとして、複数の送信ポイントの候補のうち、ＣｏＭＰ制御（複数送信ポイント協調受信）の制御対象となる送信ポイント（CoMP reception point）を設定する。
【０１７３】
また、設定部１０１は、上り信号（ＳＲＳ、ＰＵＣＣＨおよびＰＵＳＣＨ）に対して、ＣｏＭＰ制御（複数送信ポイント協調受信）を適用するか否かを設定する。
【０１７４】
以上のように設定部１０１によって生成されたＴＰ候補情報、一部のＴＰ情報、および、ＣｏＭＰ制御（複数送信ポイント協調受信）を適用するか否かを示す情報は、それぞれ設定情報として、符号化・変調部１０２、送信処理部１０４、及び送信部１０５において送信処理がなされた後に、端末４００へ送信される。
【０１７５】
また、設定部１０１は、ＴＰ候補情報、一部のＴＰ情報、および、ＣｏＭＰ制御（複数送信ポイント協調受信）を適用するか否かを示す情報を符号化・変調部１０２を介して端末４００へ送信すると共に、受信処理部１０８へ出力する。
【０１７６】
ＴＰ間インタフェース３０１は基地局３００を含む複数の送信ポイント間を接続するインタフェースである。
【０１７７】
受信処理部１０８は、実施の形態１の動作に加え、ＴＰ間インタフェース３０１を介して他の送信ポイントから受け取った信号（受信信号）のうち、設定部１０１から受け取るＴＰ候補情報、一部のＴＰ情報を含む設定情報、および、トリガ情報に基づいて、ＳＲＳ、ＰＵＣＣＨ、ＰＵＳＣＨの各上り信号がマッピングされているリソースを特定する。そして、受信処理部１０８は、受信信号から、特定されたリソースにマッピングされている信号成分を抽出する。
【０１７８】
また、受信処理部１０８は、設定部１０１から受け取る設定情報がＣｏＭＰ制御（複数送信ポイント協調受信）の適用を示す場合、信号の合成処理を行う。具体的には、受信処理部１０８は、ＣｏＭＰ制御が適用された端末４００からの信号（複数送信ポイント協調受信に対応した信号）を、一部のＴＰ情報に示される一部の送信ポイント間で合成し、合成後の信号（上りデータ信号及びＡＣＫ／ＮＡＣＫ情報）をデータ受信部１０９に出力し、合成後のＣＳＩをＣＳＩ受信部１１０に出力する。
【０１７９】
また、受信処理部１０８は、設定部１０１から受け取る設定情報がＣｏＭＰ制御（複数送信ポイント協調受信）の適用を示す場合、受信したＳＲＳを用いてＳＩＮＲ測定を行い、測定結果を上りリンクパラメータ設定部（図示しない）に出力する。上りリンクパラメータ設定部は、測定結果に基づいて、送信電力制御コマンドの生成、および、変調・符号化方式の決定等を行い、符号化・変調部１０３および送信処理部１０４に指示する。
【０１８０】
［端末４００の構成］
図１２は、本実施の形態に係る端末４００の構成を示すブロック図である。なお、図１２において、実施の形態１（図７）と同一の構成要素には同一の符号を付し、その説明を省略する。
【０１８１】
図１２に示す端末４００は、上り信号を送信する際、当該上り信号を受信し得る全ての送信ポイント候補のチャネル情報（ＲＳＲＰ）を生成する。そして、端末４００は、上記全ての送信ポイント候補のうちの一部の送信ポイント（一部のＴＰ）に対するチャネル情報（ＲＳＲＰ）を、上り信号の送信電力制御に用いるパスロスの算出の基準に設定する。
【０１８２】
図１２に示すＣＳＩ生成部２０６は、実施の形態１の動作に加え、以下の動作を行う。具体的には、ＣＳＩ生成部２０６には、端末４００の上りリンクにおける接続先候補となり得る複数の送信ポイントを示す「ＴＰ候補情報」が入力される。ＣＳＩ生成部２０６は、ＴＰ候補情報に示される各ＴＰ候補に対するＲＳＲＰをそれぞれ生成する。ＣＳＩ生成部２０６は、生成した各ＴＰ候補のＲＳＲＰをパスロス推定部４０１に出力する。
【０１８３】
パスロス推定部４０１には、ＴＰ候補情報に示される複数のＴＰ候補のうち一部の送信ポイントであって少なくとも一つの送信ポイントを示す「一部のＴＰ情報」が入力される。パスロス推定部４０１は、ＣＳＩ生成部２０６から受け取った、各ＴＰ候補のＲＳＲＰに対して長時間の平均化をそれぞれ行う。次いで、パスロス推定部４０１は、平均化したＲＳＲＰのうち、一部のＴＰ情報に示される一部の送信ポイントに対するＲＳＲＰを用いて、次式に従って、TP index iに対応するＴＰと端末４００との間のパスロスPL_TPiを推定する。
【数５】
0006007179.tif 000006
【０１８４】
式（５）において、referenceSignalPowerは別途基地局から通知されたＣＳＩ−ＲＳまたはＣＲＳの送信電力を示し、higher layer filtered RSRPは上述した平均化したＲＳＲＰを示す。なお、ＲＳＲＰの平均化は、瞬時変動の影響を除外するために用いられる。一例として、瞬時変動を積極的に活用するＣＳＩ報告周期として５ｍｓといった値が用いられるのに対し、ＲＳＲＰの平均化の期間として、ＣＳＩ報告周期の１０倍から数十倍の値を設定してもよい。
【０１８５】
パスロス推定部４０１は、このようにして推定された各送信ポイントに対するパスロスを用いて、一部のＴＰ情報に示される送信ポイントにおいて信号を合成して受信する動作（複数送信ポイント協調受信）を考慮した送信電力制御を適用する。一例として、パスロス推定部４０１は、一部のＴＰ情報に示される送信ポイントのそれぞれに対応するパスロスの平均値を算出する。例えば、パスロス推定部４０１は、次式に従って、一部のＴＰ情報に示される送信ポイントを基準としたパスロスPL_cを算出する。
【数６】
0006007179.tif 000007
【０１８６】
式（６）において、関数average（）は括弧内の値の平均値を求める関数を示し、PL_TPi1〜PL_TPinは、TP index i1〜TP index inに対応する送信ポイントのパスロスをそれぞれ示す。パスロス推定部４０１は、算出したパスロス（PL_c）を送信信号形成部２０８に出力する。
【０１８７】
送信信号形成部２０８は、実施の形態１の動作に加え、パスロス推定部４０１から入力されるパスロスに基づいて上り信号の送信電力の設定を行う。具体的には、送信信号形成部２０８は、式（６）で求めたパスロスPL_cを用いて、第ｉサブフレーム（sub-frame）における各上り信号（ＳＲＳ、ＰＵＣＣＨ、ＰＵＳＣＨ）の送信電力を、式（２）〜（４）に従ってそれぞれ設定する。これにより、各上り信号は、パスロス推定部４０１から入力されるパスロスに基づいて設定された送信電力で送信部２０９を介して送信される。
【０１８８】
［基地局３００及び端末４００の動作］
次に、基地局３００および端末４００の処理の流れについて説明する。
【０１８９】
図１３は、基地局３００および端末４００の処理の流れを示すシーケンス図を示す。なお、ここでは、移動制御において、上りリンクで端末４００の接続先となり得る送信ポイント（ＴＰ候補）を、Macro eNB、ＬＰＮ１、ＬＰＮ２、ＬＰＮ３の４個の送信ポイントとする。
【０１９０】
また、基地局３００は、パスロス算出対象の送信ポイント（パスロス算出用ＴＰ）の初期値として、或る単一の送信ポイントを設定する。例えば、パスロス算出用ＴＰの初期値として設定される単一の送信ポイントは、基地局３００と端末４００との間でステップ（以下、「ＳＴ」という）２０１〜ＳＴ２０５の処理（後述する）を行う送信ポイント（端末４００向けの下り制御信号のやり取りを行う送信ポイント。例えば、Macro eNB）とする。基地局３００は、図６に示す「一部のＴＰ情報」の初期値として、当該単一の送信ポイントに対応するTP index iを‘１’とし、他の送信ポイントに対応するTP index iを‘０’とする。このようなビットマップで表される一部のＴＰ情報は、ＭＡＣ  ＣＥによって基地局３００から端末４００へ予め通知される。
【０１９１】
図１３において、ＳＴ２０１では、基地局３００は、ＴＰ候補情報を端末４００へ通知する。ここで、基地局３００は、ＴＰ候補として、Macro eNB、ＬＰＮ１、ＬＰＮ２、ＬＰＮ３を含める。また、基地局３００は、各ＴＰ候補とＣＳＩ−ＲＳ設定（CSI-RS configuration。CSI-RS-Config）とを対応付ける。ＣＳＩ−ＲＳ設定には、アンテナポート数、リソースの位置、周期とオフセット、データチャネルとの電力比等が含まれる。よって、ＴＰ候補情報は、ＴＰ候補に対応付けられた各ＣＳＩ−ＲＳ設定が順に並べられて構成される。このＴＰ候補情報は、無線リソース制御用のメッセージ（RRC signalling）で基地局３００から端末４００へ通知される。
【０１９２】
ＳＴ２０２では、基地局３００は、自機に設定されたＣＳＩ−ＲＳを端末４００へ送信する。
【０１９３】
ＳＴ２０３では、基地局３００は、端末４００に対して、ＳＲＳ設定情報（ＳＲＳパラメータ）を通知する。ＳＲＳ設定情報には、ＳＲＳに用いる巡回シフト系列、周波数位置、帯域幅、送信周期、Ｃｏｍｂ番号等が含まれる。このＳＲＳ設定情報は、無線リソース制御用のメッセージ（RRC signalling）で基地局３００から端末４００へ通知される。
【０１９４】
ＳＴ２０３でＳＲＳ設定情報を受け取ると、ＳＴ２０４では、端末４００は、ＳＴ２０２で受け取ったＣＳＩ−ＲＳを含む各送信ポイントから受信した複数のＣＳＩ−ＲＳを用いて、ＳＴ２０１で受け取ったＴＰ候補情報に示される全ての送信ポイント候補（Macro eNB、ＬＰＮ１、ＬＰＮ２、ＬＰＮ３のＣＳＩ）に対するＲＳＲＰ測定を行う。つまり、端末４００は、ＴＰ候補情報に基づいて、複数の送信ポイントからの複数のＣＳＩ−ＲＳのそれぞれに対するＲＳＲＰを測定する。また、端末４００は、測定したＲＳＲＰを用いて、式（５）に従って、一部のＴＰ情報に示される送信ポイント（現時点ではMacro eNB）に対するパスロスをそれぞれ推定する。さらに、端末４００は、式（６）に従って、一部のＴＰ情報に示される送信ポイントを基準とするパスロス（平均値）を算出する。換言すると、端末４００は、ＳＴ２０４で測定したＲＳＲＰのうち、一部のＴＰ情報に示される送信ポイント（Macro eNB）に対応するＲＳＲＰの測定値をパスロス測定基準とする。
【０１９５】
ＳＴ２０５では、端末４００は、ＳＴ２０３においてＳＲＳ設定情報にて通知されたパラメータを用い、ＳＴ２０４で測定したパスロス（パスロス測定基準をMacro eNBとして測定したパスロス）を用いて、ＳＲＳの送信電力（例えば式（２））を設定し、設定された送信電力でＳＲＳを基地局３００へ送信する。
【０１９６】
ＳＴ２０６では、基地局３００は、ＳＴ２０５で端末４００から送信されたＳＲＳを受信する。このＳＲＳは、例えば、上りリンクに用いる送信ポイント（つまり、端末４００からの信号を受信する送信ポイント。複数送信ポイント協調受信の制御対象の送信ポイント）の選択に使用される。
【０１９７】
例えば、ＳＴ２０６において、Macro eNB、ＬＰＮ１、ＬＰＮ２、ＬＰＮ３の各送信ポイントで観測されたＳＲＳ（端末４００から送信されたＳＲＳ）の受信品質のうち、Macro eNBおよびＬＰＮ１のＳＲＳ受信品質が良好であるとする。この場合、基地局３００は、Macro eNB、および、ＬＰＮ１の２つの送信ポイントを、一部のＴＰに設定（更新）する。つまり、基地局３００は、一部のＴＰ情報に、Macro eNB、ＬＰＮ１の２つの送信ポイントを含める。例えば、ＣＳＩ−ＲＳ設定が「Macro eNB、ＬＰＮ１、ＬＰＮ２、ＬＰＮ３のＣＳＩ」の順に通知されている場合、一部のＴＰ情報は、ビットマップ「１，１，０，０，０」で表現される。すなわち、ここでは、パスロス測定基準として限定された一部の送信ポイント（一部のＴＰ情報）を、パスロス算出基準の送信ポイントとして定義し、これらの送信ポイントに対するパスロス算出を、ＣｏＭＰ制御を加味したパスロス測定の動作と表現する。
【０１９８】
ＳＴ２０７では、基地局３００は、更新された一部のＴＰ情報（つまり、パスロス算出基準の送信ポイントの更新を示す情報）を、ＭＡＣ  ＣＥによって端末４００へ通知する。この際、基地局３００は、ＭＡＣ  ＣＥを通知した物理チャネルに対するＡＣＫ応答を受け取ると、端末４００でパスロス算出基準の送信ポイントが適切に更新されたと判断する。
【０１９９】
ＳＴ２０８では、基地局３００は、ＳＴ２０２と同様にして、自機に設定されたＣＳＩ−ＲＳを端末４００へ送信する。
【０２００】
ＳＴ２０９では、基地局３００は、端末４００に対して、上りデータ信号（ＰＵＳＣＨ）を割り当てる。この際、基地局３００は、端末４００に対して、一部のＴＰ情報に示される送信ポイントについて測定されたパスロスを用いた送信電力制御が適用されるものとして、ＰＵＳＣＨを割り当てる。
【０２０１】
ＳＴ２０９でＰＵＳＣＨ割当の信号を受け取ると、ＳＴ２１０では、端末４００は、ＳＴ２０８で受け取ったＣＳＩ−ＲＳを含む各送信ポイントからのＣＳＩ−ＲＳを用いて、ＳＴ２０７で受け取った一部のＴＰ情報に示される送信ポイント候補（パスロス算出基準の送信ポイント。Macro eNB、ＬＰＮ１）に対するパスロス測定を行う。つまり、端末４００は、一部のＴＰ情報に基づいて、一部の送信ポイントからのＣＳＩ−ＲＳに対するパスロス測定を実施する。
【０２０２】
具体的には、ＳＴ２１０では、端末４００は、Macro eNBからのＣＳＩ−ＲＳおよびＬＰＮ１からのＣＳＩ−ＲＳを用いてＲＳＲＰをそれぞれ測定する。次いで、端末４００は、測定したＲＳＲＰを用いて、式（５）に従ってMacro eNBおよびＬＰＮ１に対するパスロスをそれぞれ推定する。次いで、端末４００は、推定したパスロスを用いて、式（６）に従って、Macro eNBのパスロスおよびＬＰＮ１のパスロスの平均値を算出する。つまり、端末４００は、一部のＴＰ情報に示される送信ポイント（Macro eNB、ＬＰＮ１）に対応するＲＳＲＰの測定値をパスロス測定基準とする。
【０２０３】
ＳＴ２１１では、端末４００は、ＳＴ２１０で測定したパスロス（パスロス測定基準をMacro eNBおよびＬＰＮ１として測定したパスロス）を用いて、ＰＵＳＣＨの送信電力（例えば式（４））を設定する。そして、端末４００は、ＳＴ２０９で受け取ったＰＵＳＣＨの割当および設定された送信電力に従って、ＰＵＳＣＨを基地局３００へ送信する。
【０２０４】
ＳＴ２１２では、基地局３００は、ＳＴ２１１で受け取ったＰＵＳＣＨを復調する。
【０２０５】
ここで、図１３に示すように、ＳＴ２１３で受信されたＳＲＳ（端末４００から送信されたＳＲＳ）に関し、ＬＰＮ２のＳＩＮＲ値が所定の値（既定の閾値）よりも大きくなり、基地局３００が、端末４００からＬＰＮ２に届く上り信号の受信品質が良好になったことを検出したとする。この場合、基地局３００は、パスロス算出基準の送信ポイント候補（つまり、一部のＴＰ情報）を更新する。例えば、基地局３００は、ＬＰＮ２をパスロス算出基準の送信ポイント候補（一部のＴＰ情報）に追加する。この場合、例えば、一部のＴＰ情報は、ビットマップ「１，１，１，０，０」で表現される。ＳＴ２１４では、基地局３００は、この更新された一部のＴＰ情報（つまり、パスロス算出基準の送信ポイント候補の更新を示す情報）を、ＭＡＣ  ＣＥによって端末４００へ通知する。この際、基地局３００は、ＭＡＣ  ＣＥを通知した物理チャネルに対するＡＣＫ応答を受け取ると、端末４００でパスロス算出基準の送信ポイント候補が適切に更新されたと判断する。
【０２０６】
ＳＴ２１５では、基地局３００は、ＳＴ２０２と同様にして、自機に設定されたＣＳＩ−ＲＳを端末４００へ送信する。ＳＴ２１６では、基地局３００は、端末４００に対して、ＰＵＳＣＨを割り当てる。ＳＴ２１７では、端末４００は、ＳＴ２１５で受け取ったＣＳＩ−ＲＳを含む各送信ポイントからのＣＳＩ−ＲＳを用いて、ＳＴ２１４で受け取った一部のＴＰ情報に示される送信ポイント候補（パスロス算出基準として示される送信ポイント。Macro eNB、ＬＰＮ１、ＬＰＮ２）に対するパスロス測定を行う。ＳＴ２１８では、端末４００は、ＳＴ２１７で測定したパスロス（パスロス測定基準をMacro eNB、ＬＰＮ１およびＬＰＮ２として測定したパスロス）を用いて、送信電力（例えば式（４））を設定し、設定された送信電力でＰＵＳＣＨを基地局３００へ送信する。ＳＴ２１９では、基地局３００は、ＳＴ２１８で受け取ったＰＵＳＣＨを復調する。
【０２０７】
以降、基地局３００および端末４００は、上記処理を繰り返す。
【０２０８】
このようにして、基地局３００において、設定部１０１が、複数の送信ポイント、上記複数の送信ポイントのうち一部の送信ポイントであって少なくとも一つの送信ポイントを設定し、送信処理部１０４が、複数の送信ポイントを示すＴＰ候補情報、および、一部の送信ポイントを示す一部のＴＰ情報を端末４００に送信し、受信処理部１０８が、端末４００において設定された送信電力で送信された上り信号を受信し、受信処理部１０８が、一部のＴＰ情報に示される一部の送信ポイントでそれぞれ受信された上記上り信号を合成する。ここで、上記送信電力は、ＴＰ候補情報に示される複数の送信ポイントからの複数のＣＳＩ−ＲＳのそれぞれに対するＣＳＩ−ＲＳ（第１のチャネル情報）のうち、一部のＴＰ情報に示される一部の送信ポイントからのＣＳＩ−ＲＳに対するＣＳＩ−ＲＳ（第２のチャネル情報）を用いて推定されるパスロス（第３のチャネル情報）に基づいて設定される。また、端末４００において、受信処理部２０３が、複数の送信ポイントからの複数のＣＳＩ−ＲＳ、複数の送信ポイントを示すＴＰ候補情報、および、上記複数の送信ポイントのうち一部の送信ポイントであって少なくとも一つの送信ポイントを示す一部のＴＰ情報を受信し、ＣＳＩ生成部２０６が、ＴＰ候補情報に基づいて、複数の送信ポイントからの複数のＣＳＩ−ＲＳのそれぞれに対するＲＳＲＰ（第１のチャネル情報）を生成し、パスロス推定部４０１が、一部のＴＰ情報に示される一部の送信ポイントからのＣＳＩ−ＲＳに対するＲＳＲＰ（第２のチャネル情報）を用いてパスロス（第３のチャネル情報）を推定し、送信信号形成部２０８が、推定されたパスロスに基づいて設定された送信電力で上り信号を送信する。
【０２０９】
また、端末４００は、一部のＴＰ情報に示される一部の送信ポイント（上りリンクのＣｏＭＰ制御用の送信ポイント）のそれぞれに対応するパスロスの平均値を用いて各上り信号（ＳＲＳ、ＰＵＳＣＨ、ＰＵＣＣＨ）の送信電力を設定する。これにより、端末４００は、ＣｏＭＰ制御の送信ポイント間で合成して得られる信号品質を考慮した送信電力設定値を設定することができる。つまり、端末４００は、上りリンクのＣｏＭＰ制御適用により得られる受信品質の改善（合成利得）を考慮した送信電力制御を実施することができる。そして、基地局３００は、一部のＴＰ情報に示される送信ポイント（上りリンクのＣｏＭＰ制御用の送信ポイント）において端末４００からの上り信号を受信し、当該送信ポイント間で上り信号を合成して信号を検出する。このように、協調受信することにより得られる受信品質の改善を送信電力制御に反映することができ、必要な送信電力の増大を防ぐことができる。よって、パスロスが最小ではない送信ポイントに対して大きな干渉を与えることを軽減し、キャパシティを圧迫することを防ぐことができる。
【０２１０】
また、一部のＴＰ情報の通知に用いられるＭＡＣ  ＣＥは、任意のタイミングで情報を通知することが可能であり、ＲＲＣ制御（RRC signalling）よりも遅延無く情報を通知することができる。よって、本実施の形態によれば、ＭＡＣ  ＣＥを用いた一部のＴＰ情報の更新によって、端末４００に対する一部のＴＰ情報（上りリンクのＣｏＭＰ制御用の送信ポイント）の動的な切り替えを遅延無く行うことが可能となる。
【０２１１】
また、ＴＰ候補情報が基地局３００から端末４００へ予め通知され、端末４００では、ＴＰ候補情報に示される複数の送信ポイントからのＣＳＩ−ＲＳを用いてＲＳＲＰが測定される。つまり、端末４００では、パスロス算出基準の送信ポイントの切替に依存せず、複数の送信ポイントからのＣＳＩ−ＲＳを用いて測定されたＲＳＲＰについて長時間の平均化処理を行うことができる。これにより、ＭＡＣ  ＣＥを用いた一部のＴＰ情報の更新によって上りリンクのＣｏＭＰ制御用の送信ポイントが切り替わる場合でも、端末４００は、遅延を生じさせることなく、精度の高いＲＳＲＰ（例えば、式（５）に示すhigher layer filtered RSRP）を用いてパスロス推定を行うことができる。
【０２１２】
なお、本実施の形態では、パスロス算出の際、一部の送信ポイント間でパスロスの平均を取る動作（式（２））について説明したが、これに限らない。
【０２１３】
例えば、パスロスの平均の代わりに、一部の送信ポイントの各パスロスのうち最大のパスロスを用いる動作としてもよい。つまり、上り信号の送信電力は、一部の送信ポイントのそれぞれに対応するパスロスのうち、最大のパスロス（最も劣悪な値）を用いて設定される。これにより、協調受信に参加する送信ポイントのうち、端末４００から最も遠方に位置する送信ポイントに信号を届かせることができ、上りリンクにおいてより安定した通信品質を提供することが可能となる。
【０２１４】
または、例えば、パスロスの平均の代わりに、一部の送信ポイントの各パスロスのうち最小のパスロスを用いる動作としてもよい。つまり、上り信号の送信電力は、一部の送信ポイントのそれぞれに対応するパスロスのうち、最小のパスロス（最も良好な値）を用いて設定される。これにより、協調受信に参加する送信ポイントのうち、端末４００から最も近い位置にある送信ポイントに対して信号を届かせる一方、他の送信ポイントに対して信号を届きにくくすることができ、多重される他の端末の信号への干渉を軽減することができる。さらに、受信品質を保ちつつ送信電力の最小化が測られるので、端末４００における消費電流の軽減が可能となる。
【０２１５】
または、例えば、パスロスの平均の代わりに、一部の送信ポイントの各パスロスのうちパスロスの中間値（中央値。つまり、パスロスの大きさの順に並べた際の中央に位置する値）を用いる動作としてもよい。つまり、上り信号の送信電力は、一部の送信ポイントのそれぞれに対応するパスロスの中間値（中央値）を用いて設定される。これにより、協調受信に参加する送信ポイントの受信処理において、等利得合成を想定したときの送信電力を等価的に実現することになり、協調受信の利得を最大化できる。
【０２１６】
また、本実施の形態では、ＴＰ候補情報および一部のＴＰ情報を、実施例１と同様に通知する場合、つまり、上りリンクと下りリンクとで共通の情報として通知する場合について説明した。しかし、本実施の形態において、ＴＰ候補情報および一部のＴＰ情報を上りリンクと下りリンクとで互いに異なる情報として設定し、通知してもよい。または、例えば、ＴＰ候補情報を上りリンクと下りリンクとで共通に設定し、一部のＴＰ情報を上りリンクと下りリンクとで個別に設定してもよい。これにより、下りリンクにおける複数送信ポイント協調送信に適した送信ポイントの制御と、上りリンクにおける複数送信ポイント協調受信に適した送信ポイントの制御とを個別に実施することができる。よって、上りリンクおよび下りリンクのトラフィック状況、伝搬路状況または各送信ポイントの送信電力の差等の特徴を考慮して、上りリンクおよび下りリンクでのＣｏＭＰ制御を個別に最適化することが可能となる。
【０２１７】
［実施の形態７］
本実施の形態では、端末４００（図１２）は、一部の送信ポイントとして通知された送信ポイント数に応じて、送信電力制御の設定の際に用いられるパスロスに関する係数を異ならせる。
【０２１８】
具体的には、式（２）および式（４）に示すように、上り信号（ＳＲＳおよびＰＵＳＣＨ）の送信電力は、パスロスPL_cに、パスロスの補償割合を表す重み係数αcを乗算した値を用いて設定される。
【０２１９】
本実施の形態では、パスロスの補償割合を表す重み係数は、送信ポイント候補の通知とともに基地局３００（図１１）から通知されるパラメータ（つまり、基地局３００から設定されるパラメータαc）に加え、一部の送信ポイントとして通知された送信ポイント数に比例して大きくなる係数とする。本実施の形態におけるパスロスの補償割合を表す重み係数αc'の構成例を次式に示す。
【数７】
0006007179.tif 000008
【０２２０】
式（７）において、numTPは一部の送信ポイントとして通知された送信ポイント数を示す。すなわち、送信ポイント数numTPが多いほど、係数αc'の値がより大きくなる。つまり、送信ポイント数numTPが多いほど、式（２）および（４）において、パスロスPL_cの値が送信電力設定値（PSRS,cおよびPPUSCH,c）の算出に与える影響がより大きくなる。
【０２２１】
なお、式（７）に示すαcの値を一部のＴＰ情報とともに明示的に通知する構成としてもよく、基地局３００は、例えば、３ビットを用いて{0, 0.4, 0.5, 0.6, 0.7, 0.8, 0.9, 1}のいずれを用いるかを直接指示してもよい。
【０２２２】
パスロス算出に用いる送信ポイント数が多いほど、ダイバーシチ効果によるパスロスの推定精度がより高くなる特徴がある。すなわち、本実施の形態では、端末４００は、送信ポイント数numTPに依存する、ダイバーシチ効果によるパスロスの推定精度に応じた、上り信号（ＳＲＳまたはＰＵＳＣＨ）の送信電力設定が可能となる。つまり、端末４００は、複数送信ポイント協調受信時のパスロス（パスロスの補償割合を表す重み係数）を、送信ポイント数（複数送信ポイント協調受信用の送信ポイント数）に応じた値となるように、動的に制御することができる。これにより、上り信号の所要送信電力の増大を抑えることができる。
【０２２３】
また、本実施の形態では、式（５）に示すreferenceSignalPowerの値を明示的に通知する構成としてもよい。これにより、ＴＰ候補として通知する送信ポイント毎に異なる送信電力設定を行う場合でも、パスロス値の絶対値の算出を、基地局３００と端末４００とで同一の認識で行うことができ、送信電力制御の精度を確保できる。
【０２２４】
［実施の形態８］
本実施の形態では、パスロス算出の方法をチャネル種別に応じて異ならせる場合について説明する。つまり、本実施の形態では、式（２）、式（３）、式（４）に示す送信電力設定値について、チャネル種別（ＳＲＳ、ＰＵＣＣＨ、ＰＵＳＣＨ）毎にパスロス算出方法が個別に設定される。換言すると、一部のＴＰ情報に示される一部の送信ポイントのそれぞれに対応するパスロスのうち、上り信号の送信電力の設定に用いられるパスロスを、上り信号のチャネル種別に応じて異ならせる。
【０２２５】
一例として、各チャネルの所要ＳＮＲ（Signal to Noise Ratio）の大きさに応じたパスロス算出方法について説明する。
【０２２６】
相対的に所要ＳＮＲの高いＰＵＣＣＨについては、複数送信ポイント協調受信に用いる全ての送信ポイントに届くように、式（３）に示すPL_cとして、一部のＴＰ情報に示される送信ポイントのそれぞれに対応するパスロスのうち、最大のパスロスを用いる。
【０２２７】
一方、相対的に所要ＳＮＲの低いＳＲＳおよびＰＵＳＣＨについては、式（２）および式（４）に示すPL_cとして、一部のＴＰ情報に示される送信ポイントのそれぞれに対応するパスロスのうち、最小のパスロスを用いる。
【０２２８】
他の例として、他の端末への与干渉が生じるか否かに応じたパスロス算出方法について説明する。
【０２２９】
他の端末の信号への与干渉が生じるＰＵＣＣＨについては、端末４００の近くに位置する送信ポイントのみに届くように、式（３）に示すPL_cとして、一部のＴＰ情報に示される送信ポイントのそれぞれに対応するパスロスのうち、最小のパスロスを用いる。
【０２３０】
一方、周波数スケジューリングまたはパラメータ設定等により他の端末の信号への与干渉を回避できるＳＲＳおよびＰＵＳＣＨについては、複数送信ポイント協調受信に用いる全ての送信ポイントに届くように、式（２）および式（４）に示すPL_cとして、一部のＴＰ情報に示される送信ポイントのそれぞれに対応するパスロスのうち、最大のパスロスを用いる。
【０２３１】
さらに他の例として、各上り信号を用いて設定されるパラメータに応じたパスロス算出方法について説明する。なお、後述する、Ｔｙｐｅ０  ＳＲＳは、周期的（periodic）に送信されるＳＲＳであり、Ｔｙｐｅ１  ＳＲＳは、送信タイミングをトリガによって制御されるＳＲＳである。
【０２３２】
一部のＴＰ情報に示される送信ポイントは端末４００からのＴｙｐｅ  １ＳＲＳを用いて複数送信ポイント協調受信のパラメータ設定を行う。よって、複数送信ポイント協調受信のパラメータ設定に用いるＴｙｐｅ１  ＳＲＳについては、複数送信ポイント協調受信による合成利得を考慮できないので、一部のＴＰ情報に示される全ての送信ポイントに届くように、式（２）および式（４）に示すPL_cとして、一部のＴＰ情報に示される送信ポイントのそれぞれに対応するパスロスのうち、最大のパスロスを用いる。
【０２３３】
一方、ＰＵＳＣＨ、または、ＰＵＳＣＨのパラメータ選択に用いるＴｙｐｅ０  ＳＲＳについては、複数送信ポイント協調受信による合成利得を考慮できるので、式（２）および式（４）に示すPL_cとして、一部のＴＰ情報に示される送信ポイントのそれぞれに対応するパスロスの平均値を用いる。
【０２３４】
これらのように、上り信号のチャネル種別毎の用途に応じて、当該上り信号の届く範囲を動的に制御することで、所要送信電力の増大を避けるとともに、他の端末への与干渉を軽減することができる。
【０２３５】
［実施の形態９］
本実施の形態では、一部のＴＰ情報を通知するためのＭＡＣ  ＣＥにおいて、Ｒｅｆｅｒｅｎｃｅ  ＴＰが通知される。
【０２３６】
ここで、Ｒｅｆｅｒｅｎｃｅ  ＴＰは、式（５）におけるＲＳＲＰ生成またはreferenceSignalPowerを特定し、パスロス算出の基準とする送信ポイントを示す情報である。
【０２３７】
具体的には、基地局３００（図１１）は、送信ポイントの候補に関する情報（ＴＰ候補情報および一部のＴＰ情報）を端末４００（図１２）へ通知する際、ＭＡＣ  ＣＥの所定のビット数を用いて、端末４００のＲｅｆｅｒｅｎｃｅ  ＴＰがいずれの送信ポイントであるかを端末４００へ明示的に通知する。
【０２３８】
例えば、図１４は、本実施の形態に係るＭＡＣ  ＣＥの構成を示す。図１４に示すＭＡＣ  ＣＥは１６ビットで構成される。
【０２３９】
図１４において、１６ビットのうち、１２ビットは、端末４００の接続先となり得る送信ポイント候補Ｔ１〜Ｔ１２が一部の送信ポイント（上りリンクのＣｏＭＰ制御用の送信ポイント。つまり、複数送信ポイント協調受信のCoMP reception point）であるか否かをそれぞれ表す。
【０２４０】
一方、図１４において、１６ビットのうち、送信ポイント候補を表す１２ビット以外の残りの４ビットは、端末４００のＲｅｆｅｒｅｎｃｅ  ＴＰ（Reference TPｉ）を表す。例えば、図１４に示すReference TPｉとして、図１４に示す送信ポイント候補Ｔ１〜Ｔ１２のうちいずれか１つが設定される。
【０２４１】
端末４００（受信処理部２０３）は、所定のサイズ（１６ビット分）を有するＭＡＣ  ＣＥ（通知領域）において、１６ビットのうち、一部のＴＰ情報が割り当てられた領域（１２ビット）以外の領域（残りの４ビット）で、端末４００向けのパスロス算出の基準とする送信ポイントを示すReference TPｉを受信する。端末４００は、ＭＡＣ  ＣＥを受け取ると、ＭＡＣ  ＣＥ内のＲｅｆｅｒｅｎｃｅ  ＴＰが割り当てられたリソースを確認して、端末４００のＲｅｆｅｒｅｎｃｅ  ＴＰ（パスロス算出の基準とする送信ポイント）を特定する。
【０２４２】
例えば、端末４００は、ＭＡＣ  ＣＥで通知されたＲｅｆｅｒｅｎｃｅ  ＴＰに対応する送信ポイントが送信する信号の送信電力を、式（５）に示すreferenceSignalPower（基準とする送信ポイントのパラメータ）に設定する。そして、端末４００は、ＭＡＣ  ＣＥで通知された送信ポイント候補Ｔ１〜Ｔ１２のうち一部の送信ポイントに対応する各ＲＳＲＰ（式（５）に示すhigher layer filtered RSRP）と、referenceSignalPowerとを用いてパスロスを推定する。
【０２４３】
ＭＡＣ  ＣＥは、任意のタイミングで情報を通知することが可能であり、ＲＲＣ制御（RRC signalling）よりも遅延無く情報を通知することができる。よって、本実施の形態によれば、ＭＡＣ  ＣＥを用いたＲｅｆｅｒｅｎｃｅ  ＴＰの通知によって、端末４００のＲｅｆｅｒｅｎｃｅ  ＴＰの動的な切り替えを遅延無く行うことが可能となり、所要送信電力の増大を抑えられる。
【０２４４】
［実施の形態１０］
本実施の形態では、一部のＴＰ情報を通知するためのＭＡＣ  ＣＥにおいて、送信電力の設定に用いられる補正項PO_PUCCHおよびPO_PUSCH,cが通知され、通知された補正項PO_PUCCHおよびPO_PUSCH,cを式（２）、式（３）、式（４）で用いる場合について説明する。
【０２４５】
具体的には、基地局３００（図１１）は、送信ポイントの候補に関する情報（ＴＰ候補情報および一部のＴＰ情報）を端末４００（図１２）へ通知する際、ＭＡＣ  ＣＥの所定のビット数を用いて、端末４００の送信電力制御の補正項PO_PUCCHおよびPO_PUSCH,cを、端末４００へ明示的に通知する。ここで、補正項PO_PUCCHおよびPO_PUSCH,cは、送信電力設定の基準となる送信ポイントに応じて設定されるパラメータである。
【０２４６】
例えば、図１５は、本実施の形態に係るＭＡＣ  ＣＥの構成を示す。図１５に示すＭＡＣ  ＣＥは１６ビットで構成される。
【０２４７】
図１５において、１６ビットのうち、８ビットは、端末２００の接続先となり得る送信ポイント候補Ｔ１〜Ｔ１２が一部の送信ポイント（上りリンクのＣｏＭＰ制御用の送信ポイント。つまり、複数送信ポイント協調受信のCoMP reception point）であるか否かをそれぞれ表す。
【０２４８】
一方、図１５において、１６ビットのうち、送信ポイント候補を表す８ビット以外の残りの８ビットは、端末４００が送信電力制御に用いる補正項PO_PUCCHおよびPO_PUSCH,cを表す。例えば、図１５に示す補正項PO_PUCCHおよびPO_PUSCH,cは、それぞれ４ビットずつを用いて表される。
【０２４９】
一例として、次式に示す基地局３００が設定するパラメータのうち、各端末４００に対して個別に付与されるPO_UE_PUSCH,cの設定値を４ビットで通知し、例えば、{-8,-7,…,6,7}のいずれの値をとるのかを明示的に通知してもよい。ここで、式中のPO_NOMINAL_PUSCH,cは基地局がセル共通のパラメータとして設定する値である。
【数８】
0006007179.tif 000009
【０２５０】
同様に、次式に示す基地局３００が設定するパラメータのうち、各端末４００に対して個別に付与されるPO_UE_PUCCHの設定値を４ビットで通知し、例えば、{-8,-7,…,6,7}のいずれの値をとるのかを明示的に通知してもよい。ここで、式中のPO_NOMINAL_PUCCHは基地局がセル共通のパラメータとして設定する値である。
【数９】
0006007179.tif 000010
【０２５１】
ＭＡＣ  ＣＥは、任意のタイミングで情報を通知することが可能であり、ＲＲＣ制御（RRC signalling）よりも遅延無く情報を通知することができる。よって、本実施の形態によれば、ＭＡＣ  ＣＥを用いた送信電力制御補正項の通知によって、端末４００の送信電力基準値の動的な切り替えを遅延無く行うことが可能となり、所要送信電力の増大を抑えられる。
【０２５２】
［他の実施の形態］
（１）上記各実施の形態ではアンテナとして説明したが、本発明はアンテナポート（antenna port）でも同様に適用できる。
【０２５３】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０２５４】
例えば3GPP LTEにおいては、アンテナポートが何本の物理アンテナから構成されるかは規定されず、基地局が異なる参照信号（Reference signal）を送信できる最小単位として規定されている。
【０２５５】
また、アンテナポートはプリコーディングベクトル（Precoding vector）の重み付けを乗算する最小単位として規定されることもある。
【０２５６】
（２）上記各実施の形態では、本発明をハードウェアで構成する場合を例にとって説明したが、本発明はハードウェアとの連携においてソフトウェアでも実現することも可能である。
【０２５７】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２５８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０２５９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２６０】
２０１１年８月５日出願の特願２０１１−１７１７１１および２０１１年９月３０日出願の特願２０１１−２１７２７９の日本出願に含まれる明細書、図面および要約書の開示内容は、すべて本願に援用される。
【産業上の利用可能性】
【０２６１】
本発明は、移動制御の候補を広く確保しつつ、端末におけるＣＳＩ報告を送信するために必要な送信電力の増大を抑えることができるものとして有用である。
【符号の説明】
【０２６２】
１００，３００  基地局
１０１  設定部
１０２，１０３  符号化・変調部
１０４  送信処理部
１０５，２０９  送信部
１０６，２０１  アンテナ
１０７，２０２  受信部
１０８，２０３  受信処理部
１０９  データ受信部
１１０  ＣＳＩ受信部
２００，４００  端末
２０４  リファレンス信号生成部
２０５  データ信号生成部
２０６  ＣＳＩ生成部
２０７  送信制御部
２０８  送信信号形成部
３０１  ＴＰ間インタフェース
４０１  パスロス推定部
【図１】
0006007179.tif 000011
【図２】
0006007179.tif 000012
【図３】
0006007179.tif 000013
【図４】
0006007179.tif 000014
【図５】
0006007179.tif 000015
【図６】
0006007179.tif 000016
【図７】
0006007179.tif 000017
【図８】
0006007179.tif 000018
【図９】
0006007179.tif 000019
【図１０】
0006007179.tif 000020
【図１１】
0006007179.tif 000021
【図１２】
0006007179.tif 000022
【図１３】
0006007179.tif 000023
【図１４】
0006007179.tif 000024
【図１５】
0006007179.tif 000025